(57)【要約】      （修正有）【課題】ゴルフボールがクラブのフェースの上で打たれた場所に関わらず、インパクトの後のゴルフボールのスピンを平準化することが可能である表面特徴部を有するゴルフクラブヘッドの提供。【解決手段】ゴルフクラブヘッドは、ソールの反対側のクラウン、ヒールの反対側のトウ、バックエンド、及び、ホーゼルを有する本体部を備える。ゴルフクラブヘッドは、さらに、ロフト閾値を下回るロフトを有するクラブフェース３８を備え、ロフト閾値は、ゴルフボールとクラブフェース３８との間の摩擦係数が増加すると、前記ゴルフボールとの衝突後に前記ゴルフボールに付与されるスピンが減少する閾値である。表面特徴部１００は、クラブフェース３８の一部分に位置し、ゴルフボールとクラブフェース３８との間の摩擦係数を増加させるように構成されている。【選択図】図１０Ａ
2020192370.tif 000002
【特許請求の範囲】
【請求項１】
ゴルフクラブヘッドであって、
ソールの反対側のクラウン、ヒールの反対側のトウ、バックエンド、及び、ホーゼルを有する本体部と、
ロフト閾値を下回るロフトを有するクラブフェースであって、前記ロフト閾値は、ゴルフボールと前記クラブフェースとの間の摩擦係数が増加すると、前記ゴルフボールとの衝突後に前記ゴルフボールに付与されるスピンが減少する閾値であり、前記クラブフェースは、前記クラウンの近く及び前記トウの近くに位置する第２のゾーンよりも、前記ソールの近く及び前記ヒールの近くに位置する第１のゾーンを備える、前記クラブフェースと、
前記クラブフェースの一部分に位置し、前記ゴルフボールと前記クラブフェースとの間の前記摩擦係数を増加させるように構成されている表面特徴部と、
を備え、
前記表面特徴部を有する前記クラブフェースの前記一部分と前記ゴルフボールとの間の前記摩擦係数は、約０．２５よりも大きく、
前記第１のゾーンにおける前記クラブフェースと前記ゴルフボールとの間の前記摩擦係数は、前記第２のゾーンおける前記クラブフェースと前記ゴルフボールとの間の前記摩擦係数よりも大きい、
ゴルフクラブヘッド。
【請求項２】
前記表面特徴部は、複数のマイクログルーブを備える、請求項１に記載のゴルフクラブヘッド。
【請求項３】
前記複数のマイクログルーブのうちの各マイクログルーブは、０．００１インチから０．０５０インチの溝深さを有する、請求項２に記載のゴルフクラブヘッド。
【請求項４】
前記複数のマイクログルーブのうちの各マイクログルーブは、０．００１インチから０．０５０インチの溝幅を有する、請求項２に記載のゴルフクラブヘッド。
【請求項５】
前記複数のマイクログルーブのうちの各マイクログルーブは、ボックス形状、Ｖ字形状、又は、Ｕ字形状の断面形状のうちの１個の断面形状を有する、請求項２に記載のゴルフクラブヘッド。
【請求項６】
前記複数のマイクログルーブは、隣接する各マイクログルーブ間に均一な距離を有する、請求項２に記載のゴルフクラブヘッド。
【請求項７】
前記複数のマイクログルーブは、隣接する各マイクログルーブの間に、前記クラウンに向かう方向において増加する距離を有する、請求項２に記載のゴルフクラブヘッド。
【請求項８】
前記各マイクログルーブ間の前記距離は、前記クラウンに向かう方向において０．００２インチずつ増加する、請求項７に記載のゴルフクラブヘッド。
【請求項９】
前記第１のゾーンは、第１の複数のマイクログルーブを備え、
前記第２のゾーンは、第２の複数のマイクログルーブを備え、
隣接する前記マイクログルーブ間の距離は、前記第２のゾーンよりも前記第１のゾーンにおいて小さい、請求項２に記載のゴルフクラブヘッド。
【請求項１０】
前記ロフト閾値は、１５度から２５度の間である、請求項１に記載のゴルフクラブヘッド。
【請求項１１】
前記ロフト閾値は、２５度よりも小さい、請求項１に記載のゴルフクラブヘッド。
【請求項１２】
ゴルフクラブヘッドであって、
ソールの反対側のクラウン、ヒールの反対側のトウ、バックエンド、及び、ホーゼルを有する本体部と、
ロフト閾値を下回るロフトを有するクラブフェースであって、前記ロフト閾値は、ゴルフボールと前記クラブフェースとの間の摩擦係数が増加すると、前記ゴルフボールとの衝突後に前記ゴルフボールに付与されるスピンが減少する閾値であり、前記クラブフェースは、さらに、第１のエリア、第２のエリア、及び、第３のエリアを有する複数のエリアを備え、
前記第１のエリアは、前記クラブフェースのセンターのクラウン側に位置し、前記トウ及び前記クラウンに向けて延在しており、
前記第３のエリアは、前記クラブフェースの前記センターのソール側に位置し、前記ヒール及び前記ソールに向けて延在しており、
前記第２のエリアは、前記第１のエリアと前記第３のエリアとの間に位置する、
前記クラブフェースと、
前記クラブフェースの一部分に位置し、前記ゴルフボールと前記クラブフェースとの間の前記摩擦係数を増加させるように構成されている表面特徴部と、
を備え、
前記表面特徴部を有する前記クラブフェースの前記一部分と前記ゴルフボールとの間の前記摩擦係数は、約０．２５よりも大きく、
前記第１のエリア内の前記クラブフェースと前記ゴルフボールとの間の前記摩擦係数は、前記第２のエリア内の前記クラブフェースと前記ゴルフボールとの間の前記摩擦係数よりも小さく、
前記第２のエリア内の前記クラブフェースと前記ゴルフボールとの間の前記摩擦係数は、前記第３のエリア内の前記クラブフェースと前記ゴルフボールとの間の前記摩擦係数よりも小さい、
ゴルフクラブヘッド。
【請求項１３】
前記複数のエリアは、それぞれ、異なる表面粗さを有する、請求項１２に記載のゴルフクラブヘッド。
【請求項１４】
前記第１のエリアは、０マイクロインチから１００マイクロインチの間の第１の表面粗さを有し、
前記第２のエリアは、５０マイクロインチから１２０マイクロインチの間の第２の表面粗さを有し、
前記第３のエリアは、１００マイクロインチから３００マイクロインチの間の第３の表面粗さを有する、請求項１３に記載のゴルフクラブヘッド。
【請求項１５】
前記第１の表面粗さは、０マイクロインチから５０マイクロインチの間である、請求項１４に記載のゴルフクラブヘッド。
【請求項１６】
前記第１、第２、及び第３のエリアは、前記クラブフェースの外側周囲部から０．５０インチを超えて内向きに延在する、請求項１２に記載のゴルフクラブヘッド。
【請求項１７】
前記ロフト閾値は、１５度から２５度の間にある、請求項１２に記載のゴルフクラブヘッド。
【請求項１８】
前記ロフト閾値は、２５度未満である、請求項１２に記載のゴルフクラブヘッド。
【請求項１９】
請求項１に記載のゴルフクラブヘッドを有するゴルフクラブ。
【請求項２０】
請求項１に記載のゴルフクラブヘッドを製造する方法であって、
前記クラウン、前記ソール、前記ヒール、前記トウ、前記バックエンド、及び、前記ホーゼルを有する前記本体部を提供するステップと、
前記クラブフェースを提供するステップと、
前記クラブフェースの上に前記表面特徴部を形成するステップと、
前記クラブフェースを前記本体部に形成又は連結するステップと、
を備える、方法。
【発明の詳細な説明】
【技術分野】
【０００１】
（関連出願の相互参照）
本出願は、２０１５年９月１１日に出願された米国仮特許出願第６２／２１７，２７６号、２０１６年１月５日に出願された米国仮特許出願第６２／２７４，８３２号、及び、２０１６年２月４日に出願された米国仮特許出願第６２／２９１，２４１号の利益を主張し、それらのすべての内容は、完全に参照により本明細書に組み込まれている。
【０００２】
本開示は、ゴルフクラブに関し、より具体的には、インパクトの後のゴルフボールのスピンに影響を及ぼすゴルフクラブのフェース上の１つ又は複数の表面特徴部に関する。表面特徴部は、特定のゴルフクラブのロフトにおいて、インパクトの後のゴルフボールのスピンを低減させることができる。さらに、表面特徴部は、ゴルフボールがクラブのフェースの上で打たれた場所に関わらず、インパクトの後のゴルフボールのスピンを平準化（normalize）することが可能である。
【背景技術】
【０００３】
ゴルフクラブは、例えば、ウッド、ハイブリッド、アイアン、ウェッジ、又は、パター等、様々な形態をとる。これらのクラブは、一般的に、ヘッド形状及び設計（例えば、ウッドとアイアンとの間の差など）、クラブヘッド材料、シャフト材料、クラブ長さ、及び、クラブロフトに関して異なっている。
【０００４】
ウッド及びハイブリッドは、一般的に、アイアン及びウェッジよりも長いシャフト及び低いロフトを有している。従って、ウッド又はハイブリッドによって打たれたゴルフボールは、アイアン又はウェッジによって打たれたゴルフボールよりも大きい飛距離を飛ぶ。シャフト長さ及びクラブロフトに加えて、ゴルフボールのスピンレートは、飛距離に影響を与える。ゴルフクラブとゴルフボールとの間のインパクトのときに、スピンが、バックスピン及びサイドスピンの形態で、ゴルフボールに付与される。特定の量のバックスピンが、ボールを空中に保つのに十分な揚力を発生させるために必要とされるが、多過ぎるバックスピンは、全体的な飛距離に悪影響を与える可能性がある。例えば、同じクラブによって打たれたが、異なる量のバックスピンを有する２つのボールの飛行を比較すると、バックスピンの量が多すぎるボールは、より少ない（又は、より最適な）バックスピンを有するボールのボールフライトと比較して、より高い頂点までより急速に上向きにカーブし（アップリフト又はバルーン）、その後に、よい急激に（より急激な降下角度で）落下する。従って、多過ぎるバックスピンを有するボールの飛距離は短い。しかしながら、バックスピンの最適な量は、一般的に、特定のゴルフクラブに依存する。
【０００５】
より低いロフトのクラブ（例えば、ウッド、ハイブリッド等）とは対照的に、より高いロフトのクラブ（例えば、ウェッジ、９番アイアン、８番アイアン、７番アイアン等）によって、より大きい量のバックスピンが有益である可能性がある。その理由は、これらのクラブは、距離にあまり焦点を合わせておらず、精度にさらに焦点を合わせているためである。また、過剰なバックスピンによって発生させられる、より急激な降下角度は、グリーンの上にボールを止まらせることを支援することが可能である。また、ボールのスピンは、一般的に、ゴルフクラブのフェースの上のインパクト位置によって影響を受ける。例えば、クラブヘッドのトウ及びクラウンに向かうクラブフェースの上で打たれたゴルフボールは、クラブフェースのセンター又は「スイートスポット」の中で打たれたボールよりも低いバックスピンを有する。クラブヘッドのヒール及びソールに向かうクラブフェースの上で打たれたゴルフボールは、クラブフェースのスイートスポットの上で打たれたボールよりも大きいバックスピンを有している。別の例として、クラブヘッドのトウ又はヒールに向かうクラブフェースの上で打たれたゴルフボールは、一般的に、クラブフェースのスイートスポットの上で打たれたボールよりも多くのサイドスピンを有する。ゴルフボールに付与されるバックスピン及びサイドスピンの可変の量は、クラブフェースのインパクト位置に基づいて、一貫しない距離及び方向を結果として生じさせる。
【０００６】
ゴルフクラブは、様々な公知の設計を有しており、より低ロフトのゴルフクラブにおいて、距離を最大化するために、ゴルフボールのスピン又はスピンレートを低減させること、又は、より良好にコンコントロールすることが望まれている。また、クラブフェースを横切る接触エリアのスピンレートの一貫性を改善することによって、オフセンターヒット（例えば、スイートスポット以外のゴルフクラブのフェース上におけるゴルフボールのインパクト）のときのゴルフボールに付与されるスピンの変動性を低減させることも望まれている。
【図面の簡単な説明】
【０００７】
【図１】異なる角度で配置されたフェースによってインパクトされた弾性物体のスピンレートに対する摩擦係数μの影響を示すグラフである。
【図２】クラブフェースを有するゴルフクラブヘッドの実施形態の斜視図である。
【図３】図２のクラブヘッドの側面図である。
【図４】図２のクラブヘッドの上面図である。
【図５】図２のゴルフクラブヘッドの実施形態の部分的な側面図であり、マイクログルーブの形態の表面特徴部を有するクラブフェースの一部分を図示する図である。
【図６】図２のゴルフクラブヘッドの実施形態の側面図であり、複数のゾーンに分離されているマイクログルーブを備えたクラブフェースを図示しており、それぞれのゾーンは、連続したマイクログルーブの間に異なる間隔を有していることを示す図である。
【図７】マイクログルーブなしのクラブ、及び、マイクログルーブありのクラブにおいて、異なるクラブフェースのインパクト場所におけるゴルフボールのスピンレートの比較データを提供する表であり、ゴルフクラブは、スクエアインパクト位置を有している。
【図８】マイクログルーブなしのクラブ、及び、マイクログルーブありのクラブにおいて、異なるクラブフェースのインパクト場所におけるゴルフボールのスピン量の比較データを提供する表であり、ゴルフクラブは、オープンインパクト位置を有している。
【図９】マイクログルーブなしのクラブ、及び、マイクログルーブありのクラブにおいて、異なるクラブフェースのインパクト場所におけるゴルフボールのスピン量の比較データを提供する表であり、ゴルフクラブは、クローズドインパクト位置を有している。
【図１０Ａ】図２のゴルフクラブヘッドの実施形態の正面図であり、表面粗さの異なるエリアを備えたクラブフェースを図示する。
【図１０Ｂ】図２のゴルフクラブヘッドの実施形態の正面図であり、表面粗さの異なるエリアを備えたクラブフェースを図示する。
【図１１】異なるレベルの表面粗さを有するゴルフクラブにおいて、異なるクラブフェースのインパクト場所で打たれた後のゴルフボールのスピン量の比較データを提供する表であって、クラブはゴルフスウィングマシンによってスウィングされた。
【図１２】異なるレベルの表面粗さを有するクラブによって打たれた後のゴルフボールのスピン量の比較データを提供する表であって、クラブは人によってスウィングされた。
【図１３】マイクログルーブの断面図である。
【図１４】クラブフェースの様々な位置におけるゴルフボールのインパクトの結果として生じるゴルフボールのバックスピン量を示す図である。
【発明を実施するための形態】
【０００８】
１つの実施形態は、ゴルフボールとクラブフェースとの間の摩擦係数が、クラブフェースに亘って調整又はカスタマイズすることができる、クラブヘッドの設計を含む。摩擦係数は、クラブフェースに亘って異なる場所において、インパクトの後のゴルフボールのスピン量を平準化するために調整することができる。インパクトの後のゴルフボールのスピン量（バックスピン、サイドスピン、及び／又は、その両方）を、クラブフェースの上の異なるインパクト場所にわたってより均一にすることによって、距離及び精度を改善することができる。
【０００９】
クラブフェースは、クラブフェースに沿った異なるインパクト場所において、インパクト後のゴルフボールのスピン量を平準化するために、少なくとも１つの表面特徴部を含む。表面特徴部は、インパクト後のゴルフボールのスピンを増加又は減少させることができる。より具体的には、表面特徴部は、特定のロフト閾値を下回るロフトを有するゴルフクラブに関して、インパクト後のゴルフボールのスピンを増加又は減少させることが可能である。表面特徴部は、摩擦係数を増加させ（又は、減少させ）、また、ロフト閾値未満（又は、ロフト閾値以下、又は、ロフト閾値よりも大きくはない）ロフトを有するクラブに関して、ゴルフボールのスピンを減少させる（又は、増加させる）。表面特徴部は、ゴルフクラブによって打たれたときに、ゴルフボールへの過剰なバックスピンの導入を制限することによって、又は、ゴルフボールにバックスピンを導入することによって、ゴルフボールの飛距離を増加させる。表面特徴部は、ゴルフクラブによって打たれたときに、ゴルフボールへの過剰なサイドスピンの導入を制限することによって、又は、ゴルフボールにサイドスピンを導入することによって、ゴルフボールの精度を改善する。
【００１０】
別の実施形態では、１つ又は複数の表面特徴部は、クラブフェースの異なるエリア又はゾーンの中に位置し、オフセンターヒット（例えば、スイートスポット以外のゴルフクラブのフェース上の場所とのゴルフボールの接触）のときに、ゴルフボールに付与されるスピンの変動性を低減させる。クラブフェースの異なるエリアの上でのゴルフボールのインパクトは、必要に応じて、より多くのスピン又はより少ないスピンを発生させ、表面特徴部に起因して平準化され、様々なインパクト位置に関するスピンを平準化することが可能である。少なくとも第１の表面特徴部は、クラブフェースの上の接触場所に基づいて、ゴルフボールへの過剰なバックスピン及び／又は過剰なサイドスピンの導入を制限することが可能である。少なくとも第２の表面特徴部は、クラブフェースの上の接触場所に基づいて、ゴルフボールへのバックスピン及び／又はサイドスピンの導入を増加させることが可能である。
【００１１】
１つの実施形態では、表面特徴部は、クラブフェースに沿って位置するマイクログルーブを備える。マイクログルーブは、クラブフェース全体に沿って、又は、クラブフェースの１個以上の部分に沿って位置してもよい。マイクログルーブは、さらに、クラブフェースの１個以上のゾーンの中に位置してもよい。第１のゾーンにおいて、マイクログルーブは、一緒に近くに間隔を空けて設けられてもよい。第２のゾーンにおいて、マイクログルーブは、第１のゾーンの中の間隔よりもさらに間隔が空いていてもよい。ゾーン及び／又はマイクログルーブの配置は、クラブフェースの上の異なるインパクト場所においてゴルフボールに付与されるスピンを平準化する（又は、スピンの変動性を減少させる）ことに関連することが可能である。ロフト閾値を下回るロフトを有するゴルフクラブでは、第１のゾーンの中でゴルフボールを打つことは、（単位表面積当たりのより多くのマイクログルーブによって引き起こされる摩擦係数の増加に起因して）より少ないスピンをゴルフボールに付与することとなる。一方、第２のゾーンの中でゴルフボールを打つことは、（単位表面積当たりのより少ないグルーブによって引き起こされる摩擦係数の減少に起因して）より多くのスピンをゴルフボールに付与することとなる。マイクログルーブの使用を通してゴルフボールに付与されるスピンの量を管理することによって、ゴルフボールのスピン量は、クラブフェースのインパクト位置に関わらず、より一貫性を有する（即ち、スピン量は、クラブフェースにわたって平準化される）。
【００１２】
１つの実施形態では、表面特徴部は、クラブフェースの上に表面粗さを有する表面仕上げを備える。表面仕上げは、クラブフェースにわたって均一な粗さを有してもよい、又は、クラブフェースにわたって、異なる粗さの複数のゾーン又はエリアを有してもよい。当該エリアは、クラブフェースの異なるエリア上に位置し、クラブフェースに沿ってスピン量の一貫性を改善することが可能である。例えば、クラブフェースは、粗さの第１のエリア、及び、粗さの第２のエリアを有することが可能である。第１のエリアは、第２のエリアよりも小さい表面粗さ及び摩擦係数を有している（即ち、より滑らかである）。ロフト閾値を下回るロフトを有するゴルフクラブでは、第１のエリア（又は、より滑らかなエリア）の中でゴルフボールを打つことは、より多くのスピンをゴルフボールに付与することとなる。一方、第２のエリア（又は、より粗いエリア）の中でゴルフボールを打つことは、より少ないスピンをゴルフボールに付与することとなる。表面粗さを通してゴルフボールに付与されるスピンの量を管理することによって、ゴルフボールのスピン量は、クラブフェースのインパクト位置に関わらず、より一貫性を有する（即ち、スピン量は、クラブフェースにわたって平準化される）。
【００１３】
「ゴルフボールスピン」又は「スピン」という用語は、本明細書で説明されているように、ゴルフクラブによるインパクトの後のゴルフボールの回転のレートを表している。ゴルフボールスピンは、バックスピン、サイドスピン（例えば、フックスピン、スライススピン等）、又は、それらの任意の組み合わせを含むことが可能である。
【００１４】
ゴルフクラブの「ロフト」又は「ロフト角」という用語は、本明細書で説明されているように、任意の適切なロフト・アンド・ライ・マシン（ｌｏｆｔ  ａｎｄ  ｌｉｅ  ｍａｃｈｉｎｅ）によって測定されるような、クラブフェースとシャフトとの間に形成される角度を表している。
【００１５】
「摩擦係数（又は、ＣＯＦ）」という用語は、本明細書で説明されているように、２つの表面を一緒に保持する垂直力に対する、２つの表面を互いに通過して移動させるために必要とされる力の比率を表している。本明細書で摩擦係数は、ゴルフスウィングの間のインパクトのときのゴルフボールとゴルフクラブフェースとの間の相互作用に関連している。
【００１６】
詳細な説明及び特許請求の範囲の中の「第１の」、「第２の」、「第３の」、及び「第４の」などの用語は、それがある場合には、同様のエレメント同士の間を区別するために使用されており、必ずしも、特定のシーケンシャルな又は時系列の順序を説明するために使用されているわけではない。そのように使用されている用語は、適当な状況下で入れ替え可能であり、本明細書で説明されている実施形態が、例えば、本明細書で図示されているか又はそうでなければ説明されているもの以外のシーケンスの動作が可能であるようになっているということが理解されるべきである。そのうえ、「備える」及び「有する」という用語、ならびに、任意のそれらの変形は、非排他的な包含をカバーすることが意図されており、エレメントのリストを含むプロセス、方法、システム、物品、デバイス、又は、装置が、必ずしもそれらのエレメントに限定されないが、明示的に列挙されていないか、又は、そのようなプロセス、方法、システム、物品、デバイス、もしくは装置に本来備わっている他のエレメントを含むことが可能であるようになっている。
【００１７】
詳細な説明及び特許請求の範囲の中の「左」、「右」、「前」、「後」、「上部」、「底部」、「上」、及び「下」などの用語は、それがある場合には、説明目的のために使用されており、必ずしも、恒久的な相対位置を説明するために使用されているわけではない。そのように使用されている用語は、適当な状況下で入れ替え可能であり、本明細書で説明されている装置、方法、及び／又は、製造の物品の実施形態が、例えば、本明細書で図示されているか又はそうでなければ説明されているもの以外の他の配向での動作が可能であるようになっているということが理解されるべきである。
【００１８】
「連結する」、「連結されている」、「連結」、及び「連結している」などの用語は、幅広く理解されるべきであり、機械的に又は別の方法で、２つ以上のエレメントを接続することを表している。連結（機械的でも、別の方法でも）は、例えば、恒久的又は半恒久的に、又は、瞬間のみなど、任意の時間の長さに関するものであることが可能である。
【００１９】
他の特徴及び態様は、以下の詳細な説明及び添付の図面を考慮することによって、明らかになることとなる。本開示の任意の実施形態が詳細に説明される前に、本開示は、その適用において、以下の説明に述べられているような、又は、図面に図示されているような、コンポーネントの詳細又は構築及び配置に限定されないということが理解されるべきである。本開示は、他の実施形態をサポートすることが可能であり、さまざまな方式で実践又は実施され得る。特定の実施形態の説明は、本開示の要旨及び範囲の中に入るすべての修正例、均等物、及び代替例をカバーすることから、本開示を限定することを意図していないということが理解されるべきである。また、本明細書で使用されている表現法及び専門用語は、説明の目的のためのものであり、限定するものとして見なされるべきではないということが理解されるべきである。
【００２０】
議論及び理解を容易にするために、ならびに、説明の目的だけのために、以下の詳細な説明は、ウッドとして、より具体的には、フェアウェイウッドとして、ゴルフクラブヘッド１０を図示している。フェアウェイウッドは、本明細書で開示されているように、ロフト閾値を下回るロフトを有するゴルフクラブの中の接触の後に付与されるゴルフボールスピンを低減させるクラブフェースの上の表面特徴部の図示の目的のために提供されているということが認識されるべきである。開示されているクラブフェース表面特徴部は、任意の所望のウッド、ハイブリッド、又は、ロフト閾値以下のロフトを有する他のクラブの上で使用され、インパクトのときのクラブフェースとゴルフボールとの間の摩擦係数を増加させ、ゴルフボールに付与されるスピンを低減させることが可能である。例えば、クラブヘッド１０は、ドライバー、フェアウェイウッド、又はハイブリッドを含んでもよいが、それらに限定されない。
【００２１】
ここで、図面を参照すると、図１は、異なる角度で設けられたフェースによってインパクトされた弾性物体のスピン量に対する摩擦係数μの影響を示す理論的なモデルのグラフ表示を図示している。フェースの角度（°）は、Ｘ軸に提供されており、スピン量（毎分回転数又はＲＰＭ）は、Ｙ軸に提供されている。グラフ表示は、所与の角度でフェースによって打たれた弾性物体の摩擦係数とスピン量との間の理論的な関係を図示するために、全米ゴルフ協会（ＵＳＧＡ）によってＭａｗモデルを使用して計算された。
【００２２】
グラフ表示は理論であり、絶対的なものではないが（即ち、特定の摩擦係数を有する特定のロフト角における全てのゴルフクラブが、Ｙ軸に示されている正確なスピン量をゴルフボールに付与しないという点において、その基礎的なデータは、ゴルフクラブ性能に直接的に適用可能ではない）、グラフ表示は、有力な理論であるこが確認されている。より具体的には、所定の角度で設けられたフェースは、フェースによって打たれた弾性物体にスピンを付与することとなる。また、その角度において摩擦係数が増加するにつれて、弾性物体に付与されるスピンの量が増加する。この有力な理論は、より高いロフト付きのゴルフクラブ（例えば、ウェッジなど）が、クラブフェースの上に、滑らかなフェースというよりもむしろ１次的な水平方向に整合されたグルーブ（例えば、少なくとも０．００７インチの溝深さを有するグルーブなど）を有しており、接触のときのゴルフボールとクラブフェースとの間の摩擦係数を増加させ、ゴルフボールに付与されるスピンの量を増加させ、打たれたゴルフボールのスピン量又はスピンの増加を結果として生じさせるようになっていることの理由である。低いロフト付きのクラブヘッドに関して、フェース角度が低減されるときに、摩擦係数の増加は、必ずしもスピンを増加させるわけではない。
【００２３】
例えば、図１の強調されたボックス１の中における特定のより低いフェースの角度において、理論的なモデルのグラフ表示は、摩擦係数の増加は、弾性物体に付与されるスピンの量を低減させることとなり、摩擦係数の減少は、弾性物体に付与されるスピンの量を増加させることとなるということを予想外に示している。この結論は、より高い摩擦係数が弾性物体のスピン量を増加させるという有力な理論に反している。
【００２４】
図１に示されている理論的なデータに基づくと、ロフト閾値が、ゴルフクラブに関して存在する。ここで、閾値以上のロフトにおいて、摩擦係数を増加させることは、ゴルフボールに付与されるスピンを増加させる。また、閾値以下のロフトにおいて、摩擦係数を増加させることは、ゴルフボールに付与されるスピンを減少させる。ロフト閾値は、既定の摩擦係数において、ゴルフボールに付与されるスピンの量が変化する、ロフト、又は、ロフトの移行ゾーンもしくは範囲であることが可能である。例えば、既定の摩擦係数において、クラブロフトがロフト移行ゾーンを通って減少するにつれて、ゴルフクラブは、ゴルフボールに付与されるスピンを増加させるというよりもむしろ、ゴルフボールに付与されるスピンを低減させることとなる。ロフト閾値は、インパクトのときのクラブヘッドのニュートラルアタックアングルに基づくことが可能である。ロフト閾値は、約１５度から約２５度（１５、１５．５、１６、１６．５、１７、１７．５、１８、１８．５、１９、１９．５、２０、２０．５、２１、２１．５、２２、２２．５、２３、２３．５、２４、２４．５、及び／又は、２５度を含む）の範囲であることが可能であり、又は、それらの間のどこかにあることが可能である。他の実施形態では、ロフト閾値は、約２５度であることが可能である。ロフト閾値を上回る（例えば、約２５度を上回る）ロフト角を有するゴルフクラブは、摩擦係数が増加するにつれて、接触後に、より多くのスピンをゴルフボールに付与することとなる。ロフト閾値以下（例えば、約２５度以下）のロフト角を有するゴルフクラブは、摩擦係数が増加するにつれて、接触後に、より少ないスピンをゴルフボールに付与することとなる。他の実施形態では、ロフト閾値は、約１０度から約２５度の範囲にあることが可能である。さらなる他の実施形態では、ロフト閾値は、任意の適切な、公知の、又は、将来識別される、ロフト又はロフトの範囲であることが可能である。ここで、そのロフト以下のロフト角を有するゴルフクラブに関して、摩擦係数を増加させることは、接触のとき又は接触の後にゴルフボールに付与されるスピンを減少させる。さらに、他の実施形態では、ロフト閾値は、インパクトのときの非ニュートラルアタックアングルに関して変化させることが可能である。例えば、ロフト閾値は、クラブヘッドのアタックアングルが約−１０度から約１０度へ変化するときに、約５度から約３５度の範囲にあることが可能である。
【００２５】
下記の追加的な詳細において例示されているように、ロフト閾値以下のロフトを有するゴルフクラブは、クラブフェースの上に１個以上の表面特徴部を備えてもよい。１個以上の表面特徴部は、インパクトのときのクラブフェースとゴルフボールとの間の摩擦係数を増加させるように作用する。ロフト閾値以下のロフトにおいて、摩擦係数を増加させることによって、インパクトのときにゴルフボールに付与されるスピンが低減される。クラブフェースは、クラブフェースを横切る異なる場所において、１個以上の表面特徴部を備えてもよい。異なる場所は、インパクトのときのクラブフェースとゴルフボールとの間の異なる摩擦係数を有してもよい。クラブフェースを横切る異なる場所において、インパクトのときのクラブフェースとゴルフボールとの間の摩擦係数を変化させることによって、ゴルフボールに付与されるスピン量を、インパクトの場所に関わらず、より一貫させることができる。
【００２６】
図２〜図４を参照すると、本明細書で開示されているような、及び、ゴルフクラブとともに使用するための、１個以上の表面特徴部を備えるゴルフクラブヘッド１０の実施形態が図示されている。ゴルフクラブヘッド１０は、本体部１４を備える。本体部１４は、ヒール又はヒール端部２２の反対側にトウ又はトウ端部１８を有している。本体部１４は、さらに、ソール又はボトム３０の反対側にクラウン又はトップ２６と、クラブフェース、フェース、ストライクフェース、又は、ストライクプレート３８の反対側にバック、リア、又は、バック端部３４を備える。複数のグルーブ又は１次的なグルーブ４０（図３参照）が、クラブフェース３８上に位置する。ゴルフクラブヘッド１０は、さらに、ホーゼル軸線４６（図３参照）を有するホーゼル４２を備える。ホーゼル軸線４６は、ホーゼル４２のセンターを通って延在している。ホーゼル４２は、グリップ（図示省略）を担持するゴルフクラブシャフト（図示せず）を受容するように構成されている。ゴルファーは、ゴルフクラブをスウィングする間、グリップ（図示省略）を握る。
【００２７】
図３及び図４を参照すると、ゴルフクラブヘッド１０は、重心又はＣＧ５０（図４参照）を備える。重心又はＣＧ５０は、ｘ軸５４、ｙ軸５８、及び、ｚ軸６２を含む座標系の原点を画定する。ｘ軸５４（図４参照）は、クラブヘッド１０の重心５０を通って、トウ端部１８からヒール端部２２へ延在している。ｙ軸５８（図３参照）は、クラブヘッド１０の重心５０を通って、クラウン２６からソール３０へ延在している。ｚ軸６２は、クラブヘッド１０の重心５０を通って、クラブフェース３８からバック３４へ延在している。本明細書での新技術を説明する際の追加的なガイダンスにおいて、ｘ軸５４及びｚ軸６２は、図４のアナログ時計の上の数と一致するように配置されている。ｚ軸６２は、１２時（クラブフェース３８を通る「１２」）と６時（バック３４を通る「６」）との間に延在している。また、ｘ軸５４は、３時（トウエンド１８を通る「３」）と９時（ヒールエンド２２を通る「９」）との間に延在している。
【００２８】
インパクト時にゴルフボールに付与されるスピンを低減させるために、クラブフェース３８上にクラブフェース３８とゴルフボールとの間のクラブフェース摩擦係数を増加させるように作用可能な表面特徴部１００を有するゴルフクラブヘッド１０の様々な実施形態が図示されている。多くの実施形態では、表面特徴部１００は、クラブフェース３８とゴルフボールとの間の摩擦係数を、約０．２０よりも大きく、約０．２５よりも大きく、約０．３０よりも大きく、約０．３５よりも大きく、約０．４０よりも大きく、約０．４５よりも大きく、又は、約０．５０よりも大きくなるように増加させることができる。
【００２９】
多くの実施形態では、様々なインパクト場所に関するボールスピンを平準化するための表面特徴部１００を有するクラブフェース３８は、バルジ及び／又はロールを低減させることができる。例えば、表面特徴部１００を有するクラブフェース３８は、１４インチよりも大きい、１５インチよりも大きい、１６インチよりも大きい、１７インチよりも大きい、１８インチよりも大きい、１９インチよりも大きい、又は、２０インチよりも大きいバルジを有することができる。例えば、いくつかの実施形態では、クラブフェース３８のバルジは、約１４〜１６インチ、約１４〜１７インチ、約１５〜１７インチ、又は、約１５〜１８インチであることができる。さらなる例において、表面特徴部１００を有するクラブフェース３８は、１４インチよりも大きい、１５インチよりも大きい、１６インチよりも大きい、１７インチよりも大きい、１８インチよりも大きい、１９インチよりも大きい、又は、２０インチよりも大きいロールを備えることができる。例えば、いくつかの実施形態では、クラブフェース３８のロールは、約１４〜１６インチ、約１４〜１７インチ、約１５〜１７インチ、又は、約１５〜１８インチであることができる。
【００３０】
Ｉ．マイクログルーブ
ここで図５、図６を参照すると、図示されている実施形態では、表面特徴部１００は、クラブフェース３８上に位置する複数のマイクログルーブ１０４を備える。多くの実施形態では、マイクログルーブ１０４は、クラブフェース３８とゴルフボールとの間の摩擦係数を、約０．２０よりも大きく、約０．２５よりも大きく、約０．３０よりも大きく、約０．３５よりも大きく、約０．４０よりも大きく、約０．４５よりも大きく、又は、約０．５０よりも大きくなるように増加させることができる。
【００３１】
図５、図６に図示されている実施形態では、マイクログルーブ１０４は、約０．００３インチの溝深さを有している。しかしながら、他の実施形態では、マイクログルーブ１０４は、約０．００１インチから約０．０５０インチの溝深さを有することができ、より具体的には、約０．００２インチから約０．００６５インチの溝深さを有することができる。他の実施形態では、マイクログルーブ１０４は、約０．００１５インチから約０．００５０インチの溝深さを有することができる。さらに、他の実施形態では、マイクログルーブ１０４は、約０．００２インチから約０．０１０インチの溝深さを有している。例えば、マイクログルーブ１０４は、約０．００１５インチ、約０．００２インチ、約０．００２５インチ、約０．００３０３インチ、約０．００３５インチ、約０．００４０インチ、約０．００４５インチ、又は、約０．００５インチの溝深さを有することができる。マイクログルーブ１０４の深さは、１次的なグルーブ４０の深さよりも小さい。例えば、図３に示されている１次的なグルーブ４０の深さは、約０．００７インチである。
【００３２】
図５、図６に図示されている実施形態では、マイクログルーブ１０４は、約０．００５インチの溝幅を有している。しかしながら、他の実施形態では、マイクログルーブ１０４は、約０．００１インチから約０．０５０インチの溝幅を有していてもよく、より具体的には、約０．００２インチから約０．０２０インチの溝幅を有していてもよい。他の実施形態では、マイクログルーブ１０４は、約０．００１インチから約０．００３インチの、約０．０１５インチから約０．０５０インチの、約０．０２０インチから約０．０４インチの、約０．０２５インチから約０．０３０インチの、約０．０３０インチから約０．０５０インチの、又は約０．００３インチから約０．００６インチの幅を有していてもよい。いくつかの実施形態では、マイクログルーブ１０４は、約０．０２５インチ、約０．０２６インチ、約０．０２７インチ、約０．０２８インチ、約０．０２９インチ、又は、約０．０３０インチの溝幅を有していてもよい。マイクログルーブ１０４の幅は、１次的なグルーブ４０の幅よりも小さくなっている。例えば、図３に示されている１次的なグルーブ４０の幅は、約０．０３０インチである。
【００３３】
図５、図６に図示されている実施形態では、マイクログルーブ１０４は、クラブフェース３８に沿って測定される、異なる長さ（トウ１８からヒール２２へ）を備える。例えば、マイクログルーブ１０４は、ソール３０に向けて、中間（又は、クラウン２６により近い）位置のマイクログルーブ１０４よりも短い長さ（トウ１８からヒール２２へ）のマイクログルーブ１０４を有している。他の実施形態では、マイクログルーブ１０４は、クラブフェース３８全体をカバーしてもよく、又は、クラブフェース３８の一部分をカバーしてもよい。例えば、マイクログルーブ１０４は、ｙ軸５８に沿う異なる場所に位置してもよく（例えば、クラブフェース３８のセンターからソール３０に向けて、クラブフェース３８センターの周り、クラブフェース３８のセンターからクラウン２６に向けて、それらの組み合わせ等）、及び／又は、ｘ軸５４に沿う異なる場所に位置してもよい（例えば、ヒール２２からトウ１８に向けて、ヒール２２からセンター５０に向けて、センター５０からトウ１８に向けて、それらの組み合わせ等）。マイクログルーブ１０４は、さらに、クラブフェース３８の上の異なる位置において、異なる長さ又は変化する長さを有していてもよい。例えば、１個以上のマイクログルーブ１０４は、センター５０のヒール２２側において、クラブフェース３８上に位置してもよく、トウ１８、ヒール２２、クラウン２６、及び／又は、ソール３０に向けて延在し、センター５０のヒール２２側において、ほぼセンター５０の位置又はセンター５０の近くにおいて、及び／又は、センター５０のトウ１８側において、終端している。
【００３４】
図１３を参照すると、マイクログルーブ１０４は、側壁部３９を有しており、側壁部は、角度４３を備える。側壁部３９の角度４３は、約３０度から約９５度の範囲を有していてもよく、より具体的には、４０度から９０度の範囲を有していてもよい。例えば、マイクログルーブ１０４は、約４０度、約４５度、約５０度、約５５度、約６０度、約６５度、約７０度、約７５度、約８０度、約８５度、又は、約９０度の側壁部の角度４３を有していてもよい。
【００３５】
図１３を参照すると、マイクログルーブ１０４は、グルーブエッジトップ４１を有しており、グルーブエッジトップ４１は、所定の半径を備える。グルーブエッジトップの半径は、クラブフェース３８が側壁部３９とともに一体的に形成する場所に位置する。グルーブエッジトップ４１の半径は、グルーブエッジトップ４１の曲率の半径によって測定される。グルーブエッジトップ４１の半径は、約０．００２０インチ以下、約０．００１６インチ以下、約０．００１２インチ以下、又は、約０．０００８インチ以下であってもよい。例えば、いくつかの実施形態では、グルーブエッジトップ４１の半径は、約０．０００４インチ、約０．０００６インチ、約０．０００８インチ、約０．００１０インチ、約０．００１２インチ、約０．００１４インチ、約０．００１６インチ、約０．００１８インチ、又は、約０．００２０インチであってもよい。
【００３６】
別の例として、１個以上のマイクログルーブ１０４は、センター５０のトウ１８側において、クラブフェース３８上に位置してもよく、トウ１８、ヒール２２、クラウン２６、及び／又はソール３０に向けて延在しており、センター５０のヒール２２側において、ほぼセンター５０の位置又はセンター５０の近くにおいて、及び／又は、センター５０のトウ１８側において、終端している。
【００３７】
別の例として、１個以上のマイクログルーブ１０４は、センター５０のクラウン２６側において、クラブフェース３８上に位置してもよい。１個以上のマイクログルーブ１０４は、センター５０のトウ１８側から、トウ１８、ヒール２２、クラウン２６、及び／又はソール３０に向けて延在してもよい。また、１個以上のマイクログルーブ１０４は、センター５０のヒール２２側から、トウ１８、ヒール２２、クラウン２６、及び／又はソール３０に向けて延在してもよい。１個以上のマイクログルーブ１０４は、センター５０から、又は、センター５０の近くから、トウ１８、ヒール２２、クラウン２６、及び／又はソール３０に向けてさらに延在してもよい。これらのマイクログルーブ１０４のいずれかは、センター５０のクラウン２６側において終端してもよく、センター５０のソール３０側において終端してもよく、及び／又は、ほぼセンター５０の位置又はセンター５０の近くにおいて終端してもよい。
【００３８】
追加的な例として、１個以上のマイクログルーブ１０４は、センター５０のソール３０側において、クラブフェース３８上に位置してもよい。１個以上のマイクログルーブ１０４は、センター５０のトウ１８側から、トウ１８、ヒール２２、クラウン２６、及び／又はソール３０に向けて延在してもよい。また、１個以上のマイクログルーブ１０４は、センター５０のヒール２２側から、トウ１８、ヒール２２、クラウン２６、及び／又はソール３０に向けて延在してもよい。また、１個以上のマイクログルーブ１０４は、センター５０から、又は、センター５０の近くから、トウ１８、ヒール２２、クラウン２６、及び／又はソール３０に向けて延在してもよい。これらのマイクログルーブ１０４のいずれも、センター５０のクラウン２６側において終端することができ、センター５０のソール３０側において終端してもよく、及び／又は、センター５０においてもしくはセンター５０の近くにおいて終端してもよい。
【００３９】
さらに他の実施形態では、１個以上のマイクログルーブ１０４は、軸線方向に整列していてもよいが、複数の軸線方向に整列したマイクログルーブ１０４へとセグメント化又は分裂させられてもよい。さらなる他の実施形態では、１個以上のマイクログルーブ１０４をクラブフェース３８の上でシフトしてもよく、マイクログルーブ１０４の長さのより大きい量が、センター５０のヒール２０側よりもセンター５０のトウ１８側にあるようになっており、又は、センター５０のトウ１８側よりもセンター５０のヒール２０側にあるようになっている。他の実施形態では、１個以上のマイクログルーブ１０４を、クラブフェース３８の上の中央に位置してもよく、概して同じマイクログルーブ１０４の長さの同じ量が、センター５０のトウ１８側及びヒール２０側にあるようになっている。
【００４０】
クラブフェース３８の他の実施形態では、マイクログルーブ１０４は、互いに交差していてもよく、又は、互いに交差していなくてもよい。換言すると、マイクログルーブ１０４は、互いに平行であってもよく、又は、互いに非平行であってもよい。さらに、マイクログルーブ１０４は、ｘ軸５４に対して平行であってもよく、又は、ｘ軸５４に対して斜めになっていてもよい。また、マイクログルーブ１０４は、ｙ軸５８に対して垂直であってもよく、又は、ｙ軸５８に対して斜めになっていてもよい。マイクログルーブ１０４は、クラブフェース３８の上で水平方向に（すなわち、トウ１８からヒール２２に向けて）配向されてもよい。他の実施形態では、マイクログルーブ１０４は、クラブフェース３８の上で任意の所望の又は適切な配向で配向されてもよい。例えば、他の実施形態では、マイクログルーブ１０４は、任意の方向に湾曲させられてもよく、又は、ｘ軸５４に対して所定の角度に位置してもよい。さらに、マイクログルーブ１０４は、円形、楕円、三角形、矩形、もしくは他の多角形、又は、少なくとも１つの湾曲した表面を備えた形状を備え、繰り返されたパターンを形成してもよい。
【００４１】
また、マイクログルーブ１０４は、真っ直ぐなライン又はスプラインを形成するように、クラブフェース３８上に設けられてもよい。他の実施形態では、マイクログルーブ１０４は、クラブフェース３８の一部分に沿って湾曲しているか又はアーチ状になっていてもよい。さらに他の実施形態では、真っ直ぐなマイクログルーブ１０４及びアーチ状のマイクログルーブ１０４の混合が、クラブフェース３８の１個以上の部分の上に設けられてもよい。また、さらなる他の実施形態では、複数のマイクログルーブのうちの１個以上は、その長さの一部分に沿って真っ直ぐになっていてもよく、その長さの別の部分に沿って湾曲しているか又はアーチ状になっていてもよい。
【００４２】
クラブフェース３８のさらなる他の実施形態では、１個以上のマイクログルーブ１０４は、（クラブフェース３８に対して垂直に見たときに）グルーブ１０４の長さに沿って一定の断面積を有していてもよい。任意的に又は代替的に、１個以上のマイクログルーブ１０４は、マイクログルーブ１０４の長さに沿って、可変の又は変化する断面積を有していてもよい（例えば、マイクログルーブ１０４の第１の部分、第１セクション、又は、第１の場所における断面積は、マイクログルーブ１０４の第２の部分、第２のセクション、又は、第２の場所における断面積とは異なっている等）。
【００４３】
クラブフェース３８の他の実施形態では、マイクログルーブ１０４の断面形状は、ボックス形状、Ｖ字形状、Ｕ字形状、又は、任意の他の好適な断面形状を備えてもよいが、それらの形状に限定されない。
【００４４】
様々な実施形態では、マイクログルーブ１０４は、本明細書で開示されているような、幅、深さ、長さ、配向、配置、及び／又は、断面形状の任意の適切な組み合わせを有することが可能であるということが認識されるべきである。それに加えて、少なくとも１個のマイクログルーブ１０４は、クラブフェース３８の上の別のマイクログルーブ１０４とは異なる、幅、深さ、長さ、配向、配置、及び／又は、断面形状の組み合わせを有することが可能である。他の実施形態では、マイクログルーブ１０４は、クラブフェース３８の上の１次的なグルーブ４０の有無に関係なく位置してもよい。
【００４５】
図５に示すように、マイクログルーブ１０４は、連続したマイクログルーブ１０４の間に均一な距離の間隔を空けて設けられている。図６に示すように、マイクログルーブ１０４は、連続したマイクログルーブ１０４の間に変化する距離の間隔を空けて設けられている。多くの実施形態では、マイクログルーブ１０４間の間隔は、マイクログルーブ１０４の幅よりも約３倍から３．５倍大きくなっていてもよい。多くの実施形態では、複数のマイクログルーブ１０４間の間隔は、約０．０７０インチから約０．０９０インチであってもよく、より具体的には、約０．０７５インチから約０．０８５インチであってもよい。いくつかの実施形態では、複数のマイクログルーブ１０４間の間隔は、約０．０７５インチ、約０．０７７インチ、約０．０７９インチ、約０．０８１インチ、約０．０８３インチ、又は、約０．０８５インチであってもよい。他の実施形態では、複数のマイクログルーブ１０４間は、約０．００３インチから約０．１０インチ、約０．００３インチから約０．００３５インチ、約０．０１０インチから約０．０８０インチ、約０．０２０インチから約０．０７０インチ、約０．０５０インチから約０．０１０インチ、又は、約０．００９インチから約０．０１８インチであってもよい。
【００４６】
複数のマイクログルーブ１０４間の間隔は、摩擦係数に対する直接的な影響を及ぼす。連続した複数のマイクログルーブ１０４間の間隔が増加しているエリアにおいて（即ち、単位面積当たり、より少ないマイクログルーブ１０４を備えたエリア）、摩擦係数はより低くなっている。従って、ロフト閾値以下のゴルフクラブに関して、これらのより低い摩擦係数のエリアの中で、より多くのスピンがゴルフボールに付与される。連続した複数のマイクログルーブ１０４間の間隔が減少しているエリアにおいて（即ち、単位面積当たり、より多くのマイクログルーブ１０４を備えたエリア）、摩擦係数はより高くなっている。従って、ロフト閾値以下のゴルフクラブに関して、これらのより高い摩擦係数のエリアの中で、より少ないスピンが、ゴルフボールに付与される。
【００４７】
図６の複数のマイクログルーブ１０４間の可変の間隔は、クラブフェース３８上の複数のゾーン１０８、１１２によって図示されている。第１のゾーン１０８は、クラウン２６よりもソール３０の近くに設けられている。第１のゾーン１０８において、複数のマイクログルーブ１０４は、複数のマイクログルーブ１０４間の間隔が、ソール３０よりもクラウン２６の近くに設けられている第２のゾーン１１２の複数のマイクログルーブ１０４間の間隔よりも、距離が低減されるように設けられている。他の実施形態では、１個以上のゾーン１０８、１１２は、クラブフェース３８に沿って任意の所望の場所又は適切な場所に位置してもよい。別の実施形態では、マイクログルーブ１０４は、隣接するマイクログルーブ１０４間の距離が、インクリメンタルに増加又は漸増してもよい。例えば、ソール３０に最も近いマイクログルーブ１０４は、次の隣接するマイクログルーブ１０４から、約０．０２０１インチの距離だけ間隔を空けて設けられてもよい。次いで、それぞれの隣接する複数のマイクログルーブ１０４間の距離は、ソール３０からクラウン２６へ向かうにつれて、０．００２インチずつ増加する（例えば、０．０２０１インチの間隔、次いで、０．０２２１インチの間隔、次いで、０．０２４１インチの間隔等）。他の実施形態では、連続する複数のマイクログルーブ１０４間の間隔は、クラブフェース３８に亘って可変であってもよく、又は、一定であってもよい。例えば、連続する複数のマイクログルーブ１０４間の距離は、ソール３０に向けてより小さくなり、中間に向けてより大きくなり、次いで、クラウン２６に向けて再びより小さくなってもよい。別の例として、連続する複数のマイクログルーブ１０４間の距離は、クラブフェース３８に亘って（例えば、ソール３０からクラウン２６へ、クラウン２６からソール３０へ、トウ１８からヒール２２へ、ヒール２２からトウ１８へ、等）、一定であってもよく、漸増してもよく、漸減してもよく、又は、それらの組み合わせであってもよい。
【００４８】
スウィングの間に、クラブヘッド１０は、ホーゼル軸線４６を中心に回転し、ゴルフボールとのインパクトのときにクラブフェース３８をスクエアにする。スウィングの間にクラブフェース３８をスクエアにすることは、所望のボール方向を促進する。インパクトのときに、ヘッド重心５０に対するクラブフェース３８の上のゴルフボールの接触の位置は、ゴルフボールのスピン、又は、ギヤ効果に影響を及ぼす。フライトの間に、ゴルフボールは、軸線の周りにスピン又は回転する。ゴルフボールの回転の軸線は、地面に対して垂直な垂直方向軸線、及び、地面に対して平行な水平方向軸線を備える成分にブレークダウンされ得る。垂直方向軸線を中心とするゴルフボールのスピンは、ボールの方向に影響を及ぼす。水平方向軸線を中心とするゴルフボールのスピンは、軌跡及び距離に影響を及ぼす。ギヤ効果は、下記の例において、さらに詳細に説明される。
【００４９】
例えば、ｘ軸５４に沿ってヘッド重心５０からオフセットされた、クラブフェース３８の上でのゴルフボールのインパクトは、クラブヘッド１０がｙ軸５８を中心に第１の方向に回転することを引き起こす。これにより、その垂直方向軸線を中心とした第１の方向の反対側の第２の方向のスピン（例えば、サイドスピン）をゴルフボールに付与する。その垂直方向軸線の中心のゴルフボールのスピンは、ゴルフボールのフェード又はドローに影響を及ぼす。同様に、ｙ軸５８に沿ってヘッド重心５０からオフセットされた、クラブフェース３８の上でのゴルフボールのインパクトは、クラブヘッド１０がｘ軸５４の中心の第３の方向に回転することを引き起こす。これにより、水平方向軸線の周りに、第３の方向の反対側の第４の方向のスピン（例えば、バックスピン又はトップスピン）が、ゴルフボールに付与される。水平方向軸線の周りのゴルフボールのスピンは、ゴルフボールの軌跡及び距離に影響を及ぼす。
【００５０】
バックスピンに対するギヤ効果の影響に対処するため、従って、軌跡及び距離に対するギヤ効果の影響に対処するために、クラブフェース３８上の連続した複数のマイクログルーブ１０４間の距離は、クラウン２６に向けてよりも、ソール３０に向けて小さくなっている（すなわち、単位面積当たり、より多くのマイクログルーブ１０４を備えたエリア、又は、より高い集中度のマイクログルーブ１０４のエリア）。これは、ソール３０に向かうクラブフェース３８の上でゴルフボールが打たれることで、一般的に、ギヤ効果に起因して、クラウン２６に向かうクラブフェース３８の上で打たれたゴルフボールよりも多くのスピン、とりわけバックスピンが、ゴルフボールに付与されるからである。より高い集中度のマイクログルーブ１０４をソール３０に向けて設置することによって、クラブフェース３８のそのエリアの中の摩擦係数が増加し、ロフト閾値以下のゴルフクラブにおいて、より少ないスピンが、ゴルフボールに付与される。
【００５１】
同様に、より低い集中度のマイクログルーブ１０４をクラウン２６に向けて設けることによって（又は、クラウン２６に向けてクラブフェース３８上にマイクログルーブを設けないことによって）、クラブフェース３８のそのエリアの中の摩擦係数が減少し、ロフト閾値以下のゴルフクラブにおいて、より多くのスピンが、ゴルフボールに付与される。これは、ギヤ効果に起因するゴルフボールに付与されるスピンの欠如に対向する。
【００５２】
さらに、センターからクラブフェース３８のトウ１８及び／又はヒール２２に向けてオフセットされたマイクログルーブ１０４を設けることによって、サイドスピンを低減し得る。これは、トウ１８又はヒール２２に向かうクラブフェース３８上でゴルフボールが打たれることで、一般的に、ギヤ効果に起因して、センター（又は、スイートスポット）に向かうクラブフェース３８上で打たれたゴルフボールよりも多くのスピン、とりわけ、サイドスピンが、ゴルフボールに付与されるからである。トウ１８及び／又はヒール２２に向かうクラブフェース３８上により高い集中度のマイクログルーブ１０４を設置することによって、クラブフェース３８のそれらのエリアの中の摩擦係数が増加し、ロフト閾値以下のゴルフクラブにおいて、より少ないスピンが、ゴルフボールに付与される。これは、ゴルフボールのフェード又はドローの量に対処することによって、サイドスピンに対するギヤ効果の影響、従って、精度に対処し得る。
【００５３】
図１４を参照すると、（スウィング速度、インパクト速度、インパクト角度などのような追加的なパラメーターを一定に維持しながら）例示的なゴルフクラブヘッド１０のクラブフェース３８の様々な位置でのゴルフボールのインパクトの結果として生じるバックスピンが図示されている。図１４は、より高いバックスピンがクラブフェース３８のソール３０の近く及びヒール２２の近くのインパクト位置において関して観察され、より低いバックスピンが、クラブフェース３８のクラウン２６の近く及びトウ１８の近くのインパクト位置において観察されるということを図示している。例えば、ゴルフボールとのインパクトのときに約３０００ＲＰＭ未満のバックスピンを発生させるクラウン２６の近く及びトウ１８の近くのフェース３８の領域と比較して、ゴルフボールとのインパクトのときに、ソール３０の近く及びヒール２２の近くのクラブフェース３８の領域は、約３２００〜３４００回転毎分（ＲＰＭ）のバックスピンを発生させる。
【００５４】
従って、いくつかの実施形態では、クラブフェース３８上の様々インパクト場所におけるバックスピンを平準化するために、第１のゾーン１０８は、第２のゾーン１１２よりもソール３０の近くに及びヒール２２の近くに位置してもよく、第２のゾーン１１２は、よりクラウン２６及びトウ１８の近くに位置していもよい。これらの実施形態では、マイクログルーブ１０４は、第１のゾーン１０８の中に低減された間隔（すなわち、より高い密度又は集中度）を有してもよく、また、第２のゾーン１１２の中に増加された間隔（すなわち、より低い密度又は集中度）を有してもよい。例えば、いくつかの実施形態では、第１のゾーン１０８は、第２のゾーン１１２と比較して、増加した数のマイクログルーブ１０４を有してもよく、及び／又は、低減されたマイクログルーブのピッチを有してもよい。従って、第１のゾーン１０８の中のクラブフェースとゴルフボールとの間の摩擦係数は、第２のゾーン１１２の中のクラブフェースとゴルフボールとの間の摩擦係数よりも大きい。
【００５５】
図７〜図９は、マイクログルーブ１０４を有さないゴルフクラブと比較して、マイクログルーブ１０４を有するゴルフクラブのスピン量に対する影響を図示するデータを提供する。より具体的には、データは、ロフト閾値以下のゴルフクラブにおいて、ゴルフボールとクラブフェース３８との間の摩擦係数を増加させるマイクログルーブ１０４を有するゴルフクラブが、マイクログルーブ１０４を有さないロフト閾値以下のゴルフクラブよりも、インパクトのときにゴルフボールに付与されるスピンを減少させる（即ち、インパクト後のスピン量を減少させる）ということを反映している。
【００５６】
図７を参照すると、ゴルフクラブがインパクトのときにスクエア位置を有するときの、マイクログルーブを有さないゴルフクラブによって打たれたゴルフボールのスピン量と、マイクログルーブを有するゴルフクラブによって打たれたゴルフボールのスピン量と、が比較されている。比較されているクラブフェース３８上のインパクト位置は、（１）クラブフェース３８のセンターからトウ１８に向けてオフセットされた位置、（２）クラブフェース３８のセンター位置、及び、（３）クラブフェース３８のセンターからヒール２２に向けてオフセットされた位置を備える。３個の全てのインパクト位置において、マイクログルーブを有する（例えば、ゴルフボールとクラブフェース３８との間の増加した摩擦係数を有する）ゴルフクラブは、マイクログルーブを有していない（例えば、ゴルフボールとクラブフェース３８との間の減少した摩擦係数を有する）ゴルフクラブよりも、スピン量が大きく低減した。より具体的には、マイクログルーブを有さないゴルフクラブは、クラブフェース３８のトウ１８に向かうインパクト位置において、３０３９ＲＰＭのスピン量を有しており、クラブフェース３８のセンターにおけるインパクト位置において、３０６４ＲＰＭのスピン量を有しており、クラブフェース３８のヒール２２に向かうインパクト位置において、３１６９ＲＰＭのスピン量を有していた。比較すると、マイクログルーブを有するゴルフクラブは、トウ１８に向かうインパクト位置において、２９６２ＲＰＭのスピン量を有しており、クラブフェース３８のセンターにおけるインパクト位置において、２８４３ＲＰＭのスピン量を有しており、ヒール２２に向かうインパクト位置において、２９２１ＲＰＭのスピン量を有していた。
【００５７】
図８を参照すると、ゴルフクラブがインパクトのときに１．５度オープンになっているときの、マイクログルーブを有さないゴルフクラブによって打たれたゴルフボールのスピン量と、マイクログルーブを有するゴルフクラブによって打たれたゴルフボールのスピン量と、が比較されている。比較されているクラブフェース３８の上のインパクト位置は、（１）クラブフェース３８のセンターからトウ１８に向けてオフセットされた位置、（２）クラブフェース３８のセンター位置、及び、（３）クラブフェース３８のセンターからヒール２２に向けてオフセットされた位置を備える。３個の全てのインパクト位置において、マイクログルーブを有する（例えば、ゴルフボールとクラブフェース３８との間の増加した摩擦係数を有する）ゴルフクラブは、マイクログルーブを有していない（例えば、ゴルフボールとクラブフェース３８との間の減少した摩擦係数を有する）ゴルフクラブよりも、スピン量が大きく低減した。より具体的には、マイクログルーブを有さないゴルフクラブは、クラブフェース３８のトウ１８に向かうインパクト位置において、３３２０．８ＲＰＭのスピン量を有しており、センターにおけるインパクト位置において、３１９０ＲＰＭのスピン量を有しており、クラブフェース３８のヒール２２に向かうインパクト位置において、３４３６．４ＲＰＭのスピン量を有していた。比較すると、マイクログルーブを有するゴルフクラブは、クラブフェース３８のトウ１８に向かうインパクト位置において、３１７８．４ＲＰＭのスピン量を有しており、センターにおけるインパクト位置において、３１０８．６ＲＰＭのスピン量を有しており、クラブフェース３８のヒール２２に向かうインパクト位置において、３１６４．８ＲＰＭのスピン量を有していた。
【００５８】
図９を参照すると、ゴルフクラブがインパクトのときに１．５度クローズドになっているときの、マイクログルーブを有さないゴルフクラブによって打たれたゴルフボールのスピン量と、マイクログルーブを有するゴルフクラブによって打たれたゴルフボールのスピン量と、が比較されている。比較されているクラブフェース３８の上のインパクト位置は、（１）クラブフェース３８のセンターからトウ１８に向けてオフセットされた位置、（２）クラブフェース３８のセンター位置、及び、（３）クラブフェース３８のセンターからヒール２２に向けてオフセットされた位置を備える。３個の全てのインパクト位置において、マイクログルーブを有する（例えば、ゴルフボールとクラブフェース３８との間の増加した摩擦係数を有する）ゴルフクラブは、マイクログルーブを有していない（例えば、ゴルフボールとクラブフェース３８との間の減少した摩擦係数を有する）ゴルフクラブよりも、スピン量が大きく低減した。より具体的には、マイクログルーブを有さないゴルフクラブは、クラブフェース３８のトウ１８に向かうインパクト位置において、２８７５．８ＲＰＭのスピン量を有しており、センターにおけるインパクト位置において、２７８９．８ＲＰＭのスピン量を有しており、クラブフェース３８のヒール２２に向かうインパクト位置において、２９２９．６ＲＰＭのスピン量を有していた。比較すると、マイクログルーブを有するゴルフクラブは、クラブフェース３８のトウ１８に向かうインパクト位置において、２６０５．８ＲＰＭのスピン量を有しており、センターにおけるインパクト位置において、２５５３ＲＰＭのスピン量を有しており、クラブフェース３８のヒール２２に向かうインパクト位置において、２６１９．８ＲＰＭのスピン量を有していた。
【００５９】
ＩＩ．表面粗さ
ここで図１０Ａ及び図１０Ｂを参照すると、ゴルフクラブヘッド１０の別の実施形態が図示されている。ゴルフクラブヘッド１０は、クラブフェース３８の上に表面特徴部１００を有している。表面特徴部１００は、摩擦係数を増加させるように作用可能であり、インパクトの時にゴルフボールに付与されるスピンを低減させる。図示されている実施形態では、表面特徴部１００は、クラブフェース３８上に位置する表面粗さ又は表面仕上げ１１６である。より具体的には、表面粗さ１１６は、表面に対して垂直のベクトルの方向の偏差によって一般的に表現される表面テクスチャーである。偏差は、本明細書で、距離（すなわち、マイクロインチ）によって定量化されており、より大きい距離は、より滑らかでない（又は、より粗い）表面を示している。しかしながら、他の実施形態では、表面粗さ１１６は、任意の公知の又は適切なメトリックによって定量化されてもよい。
【００６０】
多くの実施形態では、表面粗さ１１６は、クラブフェース３８とゴルフボールとの間の摩擦係数を、約０．２０よりも大きく、約０．２５よりも大きく、約０．３０よりも大きく、約０．３５よりも大きく、約０．４０よりも大きく、約０．４５よりも大きく、又は、約０．５０よりも大きく、増加させ得る。
【００６１】
いくつかの実施形態では、表面特徴部１００は、約０マイクロインチから約３００マイクロインチまでの単一の表面粗さ１１６を含むことが可能である。いくつかの実施形態では、表面特徴部１００は、約４０マイクロインチから約１８０マイクロインチの間の単一の表面粗さ１１６を備えてもよい。例えば、表面粗さ１１６は、約４０マイクロインチ、約６０マイクロインチ、約８０マイクロインチ、約１００マイクロインチ、約１２０マイクロインチ、約１４０マイクロインチ、約１６０マイクロインチ、又は、約１８０マイクロインチであってもよい。
【００６２】
表面粗さ１１６は、クラブフェース３８の上の複数の表面粗さエリア又はゾーン１２０、１２４、１２８に分割され得る。それぞれのエリアは、異なる量又は数量の表面粗さを有している。クラブフェース３８の上のエリア１２０、１２４、１２８同士の間で表面粗さを変化させることによって、ゴルフボールとクラブフェース３８との間の摩擦係数は、クラブフェース３８に亘って調整又はカスタマイズされ、ギヤ効果によって引き起こされる、クラブフェース３８におけるゴルフボールスピン変動性に対処することができる。換言すると、インパクトの後のゴルフボールのスピン量は、クラブフェース３８に沿って異なるインパクト場所において平準化され得る（例えば、より均一にされる、変動性が低減される、等）。有利には、これは、（例えば、打ち損ないなど）スイートスポット以外の異なるインパクト位置においてゴルフボールに付与されるスピンを低減させる（又は、増加させる）ことが可能であり、ギヤ効果に対抗し、距離及び精度を改善する。
【００６３】
ロフト閾値以下のゴルフクラブにおいて、高度に磨き上げられた又は滑らかな表面仕上げを有するエリアにおいて、クラブフェース３８とゴルフボールとの間の摩擦係数が低減されるので、より多くのスピンがゴルフボールに付与される。同様に、より粗い又はより滑らかでない表面仕上げを有するエリアにおいて、クラブフェース３８とゴルフボールとの間の摩擦係数が増加されるので、より少ないスピンがゴルフボールに付与される。一般的に、表面粗さが増加するにつれて、摩擦係数が増加し、インパクトのときにゴルフボールに付与されるスピンの量が減少する。
【００６４】
図１０Ａ及び図１０Ｂは、クラブフェース３８の上に３個の表面粗さエリア又はゾーン１２０、１２４、１２８を有するゴルフクラブヘッド１０の実施形態を図示しているが、ゴルフクラブヘッド１０の他の実施形態では、表面粗さの任意の数のエリア又はゾーンが、クラブフェース３８上に位置していもよいということが認識されるべきである（例えば、１個、２個、３個、４個、５個、又は、それ以上の表面粗さのエリア又はゾーン）。また、下記の開示は、第１、第２、及び、第３の表面粗さエリア又はゾーン１２０、１２４、１２８に言及しているが、第１、第２、及び、第３という用語は、クラブフェース３８の上のエリア又はゾーン同士の間を区別するために使用されるということが認識されるべきである。第１、第２、及び、第３という用語は、エリア又はゾーン１２０、１２４、１２８同士の間を区別するために変換可能であり（例えば、第３のエリア１２８は、第２のエリア又は第１のエリアと称され得、第２のエリア１２４は、第３のエリア又は第１のエリアと称され得る等）、限定することを意図していない。
【００６５】
図１０Ａに戻って、第１の表面粗さエリア１２０は、センターのクラウン２６側に向けて位置し、トウ１８に向けて延在する。第１の表面粗さエリア１２０では、表面粗さは、第２の粗さエリア１２４及び第３の粗さエリア１２８よりも滑らかである。第１のエリア１２０の表面粗さは、約０マイクロインチから約１００マイクロインチであってもよく、より具体的には、約０マイクロインチから約５０マイクロインチであってもよい。例えば、いくつかの実施形態では、第１のエリア１２０の表面粗さは、約１０マイクロインチ、約２０マイクロインチ、約３０マイクロインチ、約４０マイクロインチ、約５０マイクロインチ、約６０マイクロインチ、約７０マイクロインチ、約８０マイクロインチ、約９０マイクロインチ、又は、約１００マイクロインチであってもよい。
【００６６】
さらに、図１０Ａを参照すると、第２の表面粗さエリア１２４は、トウ１８からヒール２２へ延在しており、第１のエリア１２０と第３のエリア１２８との間に位置する。第２の表面粗さエリア１２４では、表面粗さは、第１のエリア１２０の表面粗さよりも大きいが、第３のエリア１２８の表面粗さよりも小さい。第２のエリア１２４の表面粗さは、約５０マイクロインチから約１２０マイクロインチであってもよい。例えば、いくつかの実施形態では、第２のエリア１２４の表面粗さは、約５０マイクロインチ、約６０マイクロインチ、約７０マイクロインチ、約８０マイクロインチ、約９０マイクロインチ、約１００マイクロインチ、又は、約１２０マイクロインチであってもよい。
【００６７】
さらに図１０Ａを参照すると、第３の表面粗さエリア１２８は、センターのソール３０側に向けて位置し、ヒール２２に向けて延在する。第３の表面粗さエリア１２８では、表面粗さは、第１のエリア１２０及び第２のエリア１２４の表面粗さよりも大きい。第３のエリア１２８の表面粗さは、約１００マイクロインチから約３００マイクロインチであってもよい。例えば、いくつかの実施形態では、第３のエリア１２８の中の表面粗さは、約１００マイクロインチ、約１５０マイクロインチ、約２００マイクロインチ、約２５０マイクロインチ、又は、約３００マイクロインチであってもよい。他の実施形態では、第３のゾーン１２８は、ソール３０に向けて位置してもよく、クラブフェース３８のセンターを実質的に二等分する。
【００６８】
図１０Ｂを参照すると、第１の表面粗さエリア１２０は、センターのクラウン２６側に向けて位置し、クラブフェース３８のセンターを実質的に二等分している。第１の表面粗さエリア１２０では、表面粗さは、第２の粗さエリア１２４及び第３の粗さエリア１２４、１２８よりも滑らかである。第１のエリア１２０の表面粗さは、約０マイクロインチから約１００マイクロインチであってもよく、より具体的には、約０マイクロインチから約５０マイクロインチであってもよい。例えば、いくつかの実施形態では、第１のエリア１２０の中の表面粗さは、約１０マイクロインチ、約２０マイクロインチ、約３０マイクロインチ、約４０マイクロインチ、約５０マイクロインチ、約６０マイクロインチ、約７０マイクロインチ、約８０マイクロインチ、約９０マイクロインチ、又は、約１００マイクロインチであってもよい。
【００６９】
第２の表面粗さエリア１２４は、トウ１８からヒール２２へ延在しており、第１のエリア１２０と第３のエリア１２８との間に位置する。第２の表面粗さエリア１２４では、表面粗さは、第１のエリア１２０の表面粗さよりも大きいが、第３のエリア１２８の表面粗さよりも小さい。第２のエリア１２４の表面粗さは、約５０マイクロインチから約１２０マイクロインチであってもよい。例えば、いくつかの実施形態では、第２のエリア１２４の中の表面粗さは、約５０マイクロインチ、約６０マイクロインチ、約７０マイクロインチ、約８０マイクロインチ、約９０マイクロインチ、約１００マイクロインチ、又は、約１２０マイクロインチであってもよい。
【００７０】
第３の表面粗さエリア１２８は、センターのソール３０側に向けて位置し、クラブフェース３８のセンターを実質的に二等分している。第３の表面粗さエリア１２８では、表面粗さは、第１のエリア１２０及び第２のエリア１２４の中の表面粗さよりも大きい。第３のエリア１２８の表面粗さは、約１００マイクロインチから約３００マイクロインチであってもよい。例えば、いくつかの実施形態では、第３のエリア１２８の表面粗さは、約１００マイクロインチ、約１５０マイクロインチ、約２００マイクロインチ、約２５０マイクロインチ、又は、約３００マイクロインチであってもよい。他の実施形態では、第３のゾーン１２８は、ソール３０に向けて位置してもよく、クラブフェース３８のセンターを実質的に二等分する。
【００７１】
第１のエリア１２０、第２のエリア１２４、及び、第３のエリア１２８の表面粗さの範囲は、例示の目的のために提供されており、提示されている粗さよりも大きくなっていても又は小さくなっていてもよいということが認識されるべきである。
【００７２】
第１のエリア１２０及び第３のエリア１２８は、楕円体形状を有するものとして図示されているが、第２のエリア１２４は、非定型の又は不規則な形状を有している。他の実施形態では、エリア１２０、１２４、１２８は、任意の適切な形状、配向、又は、それらの組み合わせであってもよい（例えば、多角形、円形、不規則な形等）。
【００７３】
また、エリア１２０、１２４、１２８は、任意の適切な又は所望の表面積を有してもよい。例えば、第１のエリア１２０は、約０平方インチから約３．５平方インチであってもよい。第３のエリア１２８は、約０平方インチから約３．５平方インチであってもよく、より具体的には、約０．５平方インチから約２．５平方インチであってもよい。第２のエリア１２４は、残っている表面積を有することができる（即ち、第１のエリア１２０又は第３のエリア１２８内に存在しない）。
【００７４】
エリア１２０、１２４、１２８のそれぞれは、エリアの中に均一な又は同じ粗さを有している。他の実施形態では、それぞれのエリア１２０、１２４、１２８は、それぞれのエリアの中に複数の粗さレベルを有してもよい。
【００７５】
図示されている実施形態では、エリアのそれぞれの間の粗さの移行は、急激である（例えば、第１のエリア１２０から第２のエリア１２４へ、及び、第２のエリア１２４から第３のエリア１２８へ、等）。１個のエリア１２０、１２４を出ていき、次のそれぞれの付属するエリア１２４、１２８に進入するときに、表面粗さは即座に変化する。他の実施形態では、隣接するエリアの間に移行エリア（例えば、第１のエリア１２０から第２のエリア１２４へ、及び、第２のエリア１２４から第３のエリア１２８へ、など）が存在してもよく、移行エリアでは、エリア間で表面粗さが徐々に変化している（例えば、１つのエリアから次のエリアへゆっくりと又は徐々に変化しているなど）。表面粗さは、１次式、２次式、放物線、又は任意の他の適切なもしくは所望のプロファイルを含む、任意のプロファイルに従って、エリア間で変化してもよいが、それらに限定されない。
【００７６】
図示されている実施形態は、３つの異なる表面粗さエリア１２０、１２４、１２８として、複数の表面粗さエリアを示しているが、他の実施形態では、複数の表面粗さエリアは、１個の表面粗さエリア、２個の表面粗さエリア、又は、４個以上の表面粗さエリアを備えてもよい。これらの実施形態では、複数のエリアのそれぞれは、任意の適切なもしくは所望の形状、配向、表面積、及び／又は粗さを有してもよい。
【００７７】
図１０に戻って、クラブフェース３８は、周囲部又はエッジ１３２を画定する。表面粗さエリア１２０、１２４、１２８は、一般的に、クラブフェースのエッジ１３２から内向きに（又は、クラブフェース３８のセンターに向けて）、０．５０インチを超えて延在している。他の実施形態では、表面粗さエリア１２０、１２４、１２８は、クラブフェースのエッジ１３２から内向きに（又は、クラブフェース３８のセンターに向けて）、０．５０インチ以上延在しており、より好ましくは、０．５０インチを超えて延在している（０．５０、０．５５、０．６０、０．６５、０．７０、０．７５、０．８０、０．８５、０．９０、０．９５、及び／又は、１．００インチを超える距離を含み、それらの間の任意の距離を含む）。
【００７８】
サイドスピン（ひいては、精度）及びバックスピン（ひいては、軌跡及び距離）に対するギヤ効果の影響に対処するために、表面粗さは、クラブフェース３８の上で変化し得る。例えば、トウ１８及びクラウン２６に向かうエリア内のクラブフェース３８の上の表面粗さは、クラブフェース３８の残りの表面粗さよりも滑らかであってもよい。より滑らかな粗さは、そのエリアにおけるゴルフボールとクラブフェース３８との間の摩擦係数を減少させ、ロフト閾値以下のゴルフクラブにおいて、より多くのスピンがゴルフボールに付与される。これは、ギヤ効果に起因してこのエリア内のゴルフボールに付与されるスピンの欠如に対抗する。
【００７９】
同様に、ヒール２２及びソール３０に向かうエリア内のクラブフェース３８の上の表面粗さは、クラブフェース３８の残りの表面粗さよりも大きくなっていてもよい（又は、トウ１８及びクラウン２６に向かうエリアよりも少なくとも大きい表面粗さを有してもよい）。増加した表面粗さは、そのエリアにおけるゴルフボールとクラブフェース３８との間の摩擦係数を増加させ、ロフト閾値以下のゴルフクラブにおいて、より少ないスピンがゴルフボールに付与される。これは、さらに、ギヤ効果に起因してこのエリアの中のゴルフボールに付与される追加的なスピンに対抗する。
【００８０】
さらに、クラブフェース３８のセンターからトウ１８及び／又はヒール２２に向けてオフセットされた場所に、表面粗さのエリアを設けることによって、サイドスピンが影響を受け得る。これらのエリアは、ゴルフボールのフェード又はドローの量に影響を及ぼすことによって、サイドスピン（ひいては、精度）に対するギヤ効果の影響に対処することが可能である。
【００８１】
いくつかの実施形態では、表面粗さは、ブラシを使用して形成され、クラブフェース３８上に小さいストライプ又はストライエーションを生成し得る。目視可能なストライエーションの形状は、クラブフェース３８上のブラシストロークの方向によって決定される。現在の多くのクラブヘッドは、クラブフェース上に一定の表面粗さを付与するために真っ直ぐなブラシストロークによって形成され、ヒールからトウへの線形のストライエーションを有している。本明細書で説明されている多くの実施形態では、可変の表面粗さは、回転するブラシストロークを使用して形成され得る。それにより、湾曲したストライエーションが形成され、クラブフェース３８上に可変の表面粗さが導入される。いくつかの実施形態では、湾曲したストライエーションは、上向きに、又は、クラブヘッドのクラウンに向けて、曲がっていてもよい。いくつかの実施形態では、湾曲したストライエーションは、下向きに、又は、クラブヘッドのソールに向けて、曲がっていてもよい。
【００８２】
図１１〜図１２は、異なる表面粗さ仕上げを備えたゴルフクラブのスピン量に対する影響を図示するデータを提供している。より具体的には、データは、ロフト閾値以下のゴルフクラブにおいてゴルフボールとクラブフェース３８との間の摩擦係数を増加させるより大きい表面粗さを備えるゴルフクラブは、より低い表面粗さを備えたロフト閾値以下のゴルフクラブよりも、インパクトのときにゴルフボールに付与されるスピンを減少させる（即ち、インパクトの後のスピン量を減少させる）ということを反映している。
【００８３】
図１１を参照すると、異なる表面仕上げを有するゴルフクラブによって打たれたゴルフボールのスピン量が比較されている。ゴルフクラブは、ゴルフスウィングマシンを使用して打たれた。それぞれのゴルフクラブは、クラブフェース３８のセンター、及び、クラブフェース３８のハイセンター（センターのクラウン２６側）で打たれた。「標準」と表示されている中間粗さ（滑らかでないが、粗くもない表面粗さ）を有するゴルフクラブにおいて、スピン量は、センターヒットにおいて、３４００ＲＰＭをわずかに上回っており、ハイセンターヒットにおいて、３２００ＲＰＭをわずかに下回っている。粗さが減少するにつれて、ゴルフボールのスピン量が増加する。「ポリッシュ／ワックス」と表示されている滑らかな表面粗さを有するゴルフクラブにおいて、スピン量は最も高くなっている。具体的には、センターヒットにおいて、約４０００ＲＰＭになっており、ハイセンターヒットにおいて、３８００ＲＰＭをわずかに下回っている。「Ｇｕｙｓｏｎ  Ｂｌａｓｔ」と表示されている最も高い表面粗さを有するゴルフクラブにおいて、スピン量は、センターヒットにおいて中間にあり（３６００ＲＰＭをわずかに下回っており）、ハイセンターヒットにおいて最も低くなっている（３０００ＲＰＭを下回っている）。粗さが増加するにつれて（及び、クラブフェース３８とゴルフボールとの間の摩擦係数が増加するにつれて）、ゴルフボールのスピン量が、とりわけ、オフセンターインパクト位置において（すなわち、スイートスポット以外のインパクトにおいて）減少する。
【００８４】
図１２を参照すると、異なる表面仕上げを有するゴルフクラブによって打たれたゴルフボールのスピン量が比較されている。ゴルフクラブは、人間／プレイヤーによって打たれ、クラブフェースの上のインパクト位置はコントロールされていない。「標準」と表示されていない中間粗さ（滑らかでないが、粗くもない表面粗さ）を有するゴルフクラブにおいて、スピン量は、約３６５０ＲＰＭである。「ポリッシュ／ワックス」と表示されている滑らかな表面粗さを有するゴルフクラブにおいて、スピン量は、最も高くなっており、具体的には、約４０００ＲＰＭである。「Ｇｕｙｓｏｎ  Ｂｌａｓｔ」と表示されている、最も高い表面粗さを有するゴルフクラブにおいて、スピン量は、中間になっており、約３８００ＲＰＭである。
【００８５】
ＩＩＩ．他の表面特徴部
クラブヘッド１０の他の実施形態では、表面特徴部１００は、マイクログルーブ１０４及び表面粗さ１１６の組み合わせを備えてもよい。マイクログルーブ１０４及び表面粗さ１１６は、クラブフェース３８の別々の部分の別々のゾーン（又は、エリア）に分離されてもよく（例えば、クラブフェース３８上のマイクログルーブ１０４のゾーン、及び、クラブフェースの上の表面粗さ１１６のゾーン等）、又は、クラブフェース３８の同じエリア又はゾーンに位置してもよい。
【００８６】
いくつかの実施形態では、表面特徴部１００は、クラブフェース３８の全てのエリアにおいて、インパクト時にゴルフボールに付与されるバックスピンを低減させることが可能である。いくつかの実施形態では、表面特徴部１００は、ボトム又はヒール部分などのような、クラブフェース３８の特定の部分おけるインパクト時にゴルフボールに付与されるバックスピンを低減させ、クラブフェース３８上の全てのエリアにおけるインパクト時のスピンを平準化することが可能である。例えば、いくつかの実施形態では、表面特徴部１００を有するクラブヘッド１０は、クラブフェース３８上の様々な位置でのゴルフボールとのインパクトに関して、８００ＲＰＭ未満、７００ＲＰＭ未満、６００ＲＰＭ未満、５００ＲＰＭ未満、４００ＲＰＭ未満、３００ＲＰＭ未満、２００ＲＰＭ未満、又は、１００ＲＰＭ未満のバックスピンの最大変化を有することが可能である。
【００８７】
図示されている実施形態では、表面特徴部１００は、マイクログルーブ１０４及び表面粗さ１１６のうちの１個以上を備える。他の実施形態では、表面特徴部は、本明細書で説明されている表面特徴部１００の代わりに、又は、それに加えて、テクスチャー加工された表面又は材料コーティングなどのような、他の特徴を備え、クラブフェース３８上の１個以上の領域の摩擦係数を増加又は減少させてもよい。例えば、表面特徴部は、変化する厚さプロファイル又は変化する硬度プロファイルを有する材料コーティングを備え、クラブフェース３８上のスピンを低減又は平準化してもよい。さらなる例において、表面特徴部は、変化する密度を有するテクスチャー加工されたパターン（例えば、スネークスキン又は他のパターン）を備え、クラブフェース３８上のスピンを低減又は平準化してもよい。
【００８８】
ＩＶ．表面特徴部を備えたクラブヘッドを製造する方法
表面特徴部１００を有するクラブヘッド１０を製造する方法が提供される。当該方法は、クラウン２６、ソール３０、ヒールトウ１８、ヒール２２、及び、ホーゼル４２を有する本体部１４を提供するステップを備える。次に、クラブフェース３８が提供され、クラブは、クラブフェース３８をクラブ本体部１２に取り付けることによって形成される。表面特徴部１００は、クラブ本体部１２へのクラブフェース３８の取り付けの前又は後に、クラブフェース３８に追加され得る。
【００８９】
表面特徴部１００がマイクログルーブ１０４である実施形態では、マイクログルーブ１０４は、コンピューター数値制御式のレーザー、化学的なエッチング、機械加工、３Ｄプリンティング、又は、任意の他の適切なプロセスによって形成され得る。
【００９０】
表面特徴部１００が表面粗さ１１６の１個以上のエリア又はゾーンである実施形態では、表面粗さ１１６は、コンピューター制御式のレーザーエッチングによって形成され得る。さらに、レーザーエッチングは、精密なマスクの適用を備えてもよく、その後に、化学的なエッチングプロセスが続く。レーザーエッチング又は化学的なエッチングプロセスは、例えば、マイクログルーブを刻み込むことなどによって、比較的にランダムなパターンで、又は、より均一な様式で、表面粗さの変化を生成させ得る。代替例として、又は、それに加えて、表面特徴部１００は、マルチステップの仕上げプロセスを使用して適用され得る。マルチステップの仕上げプロセスは、クラブフェース３８全体を最も低い表面粗さまで磨き上げること、ならびに、所望の数の異なる粗さエリアが形成されるまで、クラブフェース３８の追加的な部分を漸進的にマスキング及び粗面化することを備えてもよい。用いられ得る粗面化プロセスの例は、ブラッシング、ブラスティング、及び／又はエッチングプロセスを備える。代替例として、又は、それに加えて、表面特徴部１００は、例えば、蒸着又は吹き付けによって材料を追加することによって、適用されてもよい。
【００９１】
表面特徴部１００がマイクログルーブ１０４及び表面粗さ１１６の組み合わせである実施形態では、上記の形成プロセスのうちの１個以上が、実装又は組み合わせられ、マイクログルーブ１０４及び表面粗さ１１６をそれぞれ形成し得る。
【００９２】
本明細書で説明されているクラブヘッド１０を製造する方法は、単に例示的なものにすぎず、本明細書で提示されている実施形態に限定されない。方法は、本明細書で具体的には示されていない、又は説明されていない、多くの異なる実施形態又は例の中で用いられ得る。いくつかの実施形態では、説明されている方法のプロセスは、任意の適切な順序で実施され得る。他の実施形態では、プロセスのうちの１つ又は複数は、組み合わせられ、分離され、又はスキップされ得る。
【００９３】
１個以上の特許請求されているエレメントの交換は、再構成を構成し、修理を構成しない。追加的に、利益、他の利点、及び、課題に対する解決策が、特定の実施形態に関連して説明されてきた。しかしながら、利益、利点、課題に対する解決策、及び、任意の利益、利点、又は解決策が起こること又はより顕著になることを引き起こし得る任意の１つ又は複数のエレメントは、そのような利益、利点、解決策、又はエレメントがそのような請求項の中に明示的に述べられていなければ、請求項のいずれか又はすべての重要な、必要な、又は必須の特徴又はエレメントとして解釈されるべきではない。
【００９４】
ゴルフのルールは時々刻々と変化する可能性があるので（例えば、全米ゴルフ協会（ＵＳＧＡ）、英国ゴルフ協会（Ｒ＆Ａ）などのような、ゴルフ標準化機構及び／又は管理機関によって、新しい規則が採用され、又は、古いルールが排除又は修正され得る）、本明細書で説明されている装置、方法、及び、製造の物品に関連するゴルフ機器は、任意の特定の磁気におけるゴルフのルールに準拠しているか又は準拠していない可能性がある。従って、本明細書で説明されている装置、方法、及び、製造の物品に関連するゴルフ機器は、準拠しているか又は準拠していないゴルフ機器として、宣伝され、販売のために提示され、及び／又は、販売され得る。本明細書で説明されている装置、方法、及び、製造の物品は、この点において限定されていない。
【００９５】
上記の例は、ウッドタイプゴルフクラブに関連して説明され得るが、本明細書で説明されている装置、方法、及び、製造の物品は、フェアウェイウッドタイプのゴルフクラブ、ハイブリッドタイプのゴルフクラブ、アイアンタイプのゴルフクラブ、ウェッジタイプのゴルフクラブ、又はパタータイプのゴルフクラブなどのような、他のタイプのゴルフクラブに適用可能である。代替的に、本明細書で説明されている装置、方法、及び、製造の物品は、ホッケースティック、テニスラケット、フィッシングポール、スキーポールなどのような、他のタイプのスポーツ機器に適用可能である。
【００９６】
さらに、本明細書で開示されている実施形態及び限定は、その実施形態及び／又は限定が、（１）特許請求の範囲において明示的に特許請求されておらず、（２）均等論の下で特許請求の範囲の中のエレメント及び／又は限定の均等物であり、又は潜在的な均等物である場合には、公有の原則（ｄｏｃｔｒｉｎｅ  ｏｆ  ｄｅｄｉｃａｔｉｏｎ）の下で公衆に供されてはいない。
【００９７】
本開示の様々な特徴及び利点が、以下の条項において述べられている。
（条項１）
ゴルフクラブヘッドであって、
ソールの反対側のクラウン、ヒールエンドの反対側のトウエンド、バックエンド、及び、ホーゼルを有する本体部と、
ロフト閾値を下回るロフトを有するクラブフェースであって、前記ロフト閾値は、ゴルフボールとクラブフェースとの間の摩擦係数が増加すると、前記ゴルフボールとの衝突後に前記ゴルフボールに付与されるスピンが減少する閾値である、前記クラブフェースと、
前記クラブフェースの一部分に位置し、前記ゴルフボールとクラブフェースとの間の摩擦係数を増加させるように構成されている表面特徴部と、
を備える、ゴルフクラブヘッド。
（条項２）
前記表面特徴部は、複数のマイクログルーブを備える、条項１に記載のゴルフクラブヘッド。
（条項３）
前記複数のマイクログルーブのうちの各マイクログルーブは、０．００１インチから０．０５０インチの間の溝深さを有する、条項２に記載のゴルフクラブヘッド。
（条項４）
前記複数のマイクログルーブのうちの各マイクログルーブは、０．００１インチから０．０５０インチの間の溝幅を有する、条項２に記載のゴルフクラブヘッド。
（条項５）
前記複数のマイクログルーブのうちの各マイクログルーブは、ボックス形状、Ｖ字形状、又は、Ｕ字形状の断面形状のうちの１個の形状を有する、条項２に記載のゴルフクラブヘッド。
（条項６）
前記複数のマイクログルーブは、隣接する各マイクログルーブ間に均一な距離を有する、条項２に記載のゴルフクラブヘッド。
（条項７）
前記複数のマイクログルーブは、隣接する各マイクログルーブ間に増加する距離を有する、条項２に記載のゴルフクラブヘッド。
（条項８）
隣接する各マイクログルーブ間の距離は、０．００２インチずつ増加する、条項７に記載のゴルフクラブヘッド。
（条項９）
前記マイクログルーブは、第１の複数の前記マイクログルーブを有する第１のゾーン、及び、第２の複数の前記マイクログルーブを有する第２のゾーンを有し、
隣接するマイクログルーブ間の距離は、第２のゾーンよりも第１のゾーンにおいて小さい、条項２に記載のゴルフクラブヘッド。
（条項１０）
第１のゾーンは、第２のゾーンよりもソールの近くに位置する、条項９に記載のゴルフクラブヘッド。
（条項１１）
第２のゾーンは、第１のゾーンよりもクラウンの近くに位置する、条項９に記載のゴルフクラブヘッド。
（条項１２）
表面特徴部は、複数のエリアを備え、
各エリアは、異なる表面粗さを有する、条項１に記載のゴルフクラブヘッド。
（条項１３）
前記複数のエリアは、第１の表面粗さを有する第１のエリア、及び、第１の表面粗さよりも大きい第２の表面粗さを有する第２のエリアを備える、条項１２に記載のゴルフクラブヘッド。
（条項１４）
前記第１の表面粗さは、０マイクロインチから１００マイクロインチの間の表面粗さであり、
前記第２の表面粗さは、１００マイクロインチから３００マイクロインチの間の表面粗さである、条項１２に記載のゴルフクラブヘッド。
（条項１５）
前記第１の表面粗さは、０マイクロインチから５０マイクロインチの間の表面粗さである、条項１４に記載のゴルフクラブヘッド。
（条項１６）
前記第１のエリアは、前記クラブフェースのセンターのクラウン側に位置し、前記トウ及び前記クラウンに向けて延在する、条項１４に記載のゴルフクラブヘッド。
（条項１７）
前記第２のエリアは、前記クラブフェースのセンターのソール側に位置し、前記ヒール及び前記ソールに向けて延在する、条項１６に記載のゴルフクラブヘッド。
（条項１８）
前記第１のエリア及び前記第２のエリアは、前記クラブフェースの外側周囲部から０．５０インチよりも長く内向きに延在する、条項１７に記載のゴルフクラブヘッド。
（条項１９）
前記第１のエリアは、前記第２のエリアよりも低い前記ゴルフボールと前記クラブフェースとの間の摩擦係数を有する、条項１７に記載のゴルフクラブヘッド。
（条項２０）
前記第２のエリアは、前記第１のエリアよりも高い前記ゴルフボールと前記クラブフェースとの間の摩擦係数を有する、条項１７に記載のゴルフクラブヘッド。
（条項２１）
前記ゴルフクラブヘッドは、さらに、第３の表面粗さを有する第３のエリアを備え、
前記第３の表面粗さは、５０マイクロインチから１２０マイクロインチの間の表面粗さである、条項１４に記載のゴルフクラブヘッド。
（条項２２）
前記第３のエリアは、前記クラブフェースにおいて、前記第１のエリアと前記第２のエリアとの間に位置する、条項２１に記載のゴルフクラブヘッド。
（条項２３）
ロフト閾値は、１５度から２５度の間にある、条項１に記載のゴルフクラブヘッド。
（条項２４）
ロフト閾値は、２５度よりも小さい、条項１に記載のゴルフクラブヘッド。
（条項２５）
条項１に記載のゴルフクラブヘッドを有するゴルフクラブ。
（条項２６）
条項１に記載のゴルフクラブヘッドを製造する方法であって、
クラウン、ソール、ヒール、トウ、バックエンド、及びホーゼルを有する本体部を提供するステップと、
クラブフェースを提供するステップと、
前記クラブフェース上に表面特徴部を形成するステップと、
前記クラブフェースを前記クラブ本体部に形成又は連結するステップと
を含む、方法。
（条項２７）
ゴルフクラブヘッドであって、
ソールの反対側のクラウン、ヒールの反対側のトウ、バックエンド、及び、ホーゼルを有する本体部と、
ロフト閾値を下回るロフトを有するクラブフェースであって、前記ロフト閾値は、ゴルフボールと前記クラブフェースとの間の摩擦係数が増加すると、前記ゴルフボールとの衝突後に前記ゴルフボールに付与されるスピンが減少する閾値であり、前記クラブフェースは、前記クラウンの近く及び前記トウの近くに位置する第２のゾーンよりも、前記ソールの近く及び前記ヒールの近くに位置する第１のゾーンを備える、前記クラブフェースと、
前記クラブフェースの一部分に位置し、前記ゴルフボールと前記クラブフェースとの間の前記摩擦係数を増加させるように構成されている表面特徴部と、
を備え、
前記表面特徴部を有する前記クラブフェースの前記一部分と前記ゴルフボールとの間の前記摩擦係数は、約０．２５よりも大きく、
前記第１のゾーンにおける前記クラブフェースと前記ゴルフボールとの間の前記摩擦係数は、前記第２のゾーンおける前記クラブフェースと前記ゴルフボールとの間の前記摩擦係数よりも大きい、ゴルフクラブヘッド。
（条項２８）
前記表面特徴部は、複数のマイクログルーブを備える、条項２７に記載のゴルフクラブヘッド。
（条項２９）
前記複数のマイクログルーブのうちの各マイクログルーブは、０．００１インチから０．０５０インチの溝深さを有する、条項２８に記載のゴルフクラブヘッド。
（条項３０）
前記複数のマイクログルーブのうちの各マイクログルーブは、０．００１インチから０．０５０インチの溝幅を有している、条項２８に記載のゴルフクラブヘッド。
（条項３１）
前記複数のマイクログルーブのうちの各マイクログルーブは、ボックス形状、Ｖ字形状、又は、Ｕ字形状の断面形状のうちの１個の断面形状を有する、条項２８に記載のゴルフクラブヘッド。
（条項３２）
前記複数のマイクログルーブは、隣接する各マイクログルーブ間に均一な距離を有する、条項２８に記載のゴルフクラブヘッド。
（条項３３）
前記複数のマイクログルーブは、隣接する各マイクログルーブの間に、前記クラウンに向かう方向において、増加する距離を有する、条項２８に記載のゴルフクラブヘッド。
（条項３４）
前記各マイクログルーブ間の前記距離は、前記クラウンに向かう方向において０．００２インチずつ増加する、条項３３に記載のゴルフクラブヘッド。
（条項３５）
前記第１のゾーンは、第１の複数のマイクログルーブを備え、
前記第２のゾーンは、第２の複数のマイクログルーブを備え、
隣接する前記マイクログルーブ間の距離は、前記第２のゾーンよりも前記第１のゾーンにおいて小さい、条項２８に記載のゴルフクラブヘッド。
（条項３６）
前記ロフト閾値は、１５度から２５度の間である、条項２７に記載のゴルフクラブヘッド。
（条項３７）
前記ロフト閾値は、２５度よりも小さい、条項２７に記載のゴルフクラブヘッド。
（条項３８）
ゴルフクラブヘッドであって、
ソールの反対側のクラウン、ヒールの反対側のトウ、バックエンド、及び、ホーゼルを有する本体部と、
ロフト閾値を下回るロフトを有するクラブフェースであって、前記ロフト閾値は、ゴルフボールと前記クラブフェースとの間の摩擦係数が増加すると、前記ゴルフボールとの衝突後に前記ゴルフボールに付与されるスピンが減少する閾値であり、前記クラブフェースは、さらに、第１のエリア、第２のエリア、及び、第３のエリアを有する複数のエリアを備え、
前記第１のエリアは、前記クラブフェースのセンターのクラウン側に位置し、前記トウ及び前記クラウンに向けて延在し、
前記第３のエリアは、前記クラブフェースの前記センターのソール側に位置し、前記ヒール及び前記ソールに向けて延在し、
前記第２のエリアは、前記第１のエリアと前記第３のエリアとの間に位置する、
前記クラブフェースと、
前記クラブフェースの一部分に位置し、前記ゴルフボールと前記クラブフェースとの間の前記摩擦係数を増加させるように構成されている表面特徴部、
を備え、
前記表面特徴部を有する前記クラブフェースの前記一部分と前記ゴルフボールとの間の前記摩擦係数は、約０．２５よりも大きく、
前記第１のエリア内の前記クラブフェースと前記ゴルフボールとの間の前記摩擦係数は、前記第２のエリア内の前記クラブフェースと前記ゴルフボールとの間の前記摩擦係数よりも小さく、
前記第２のエリア内の前記クラブフェースと前記ゴルフボールとの間の前記摩擦係数は、前記第３のエリア内の前記クラブフェースと前記ゴルフボールとの間の前記摩擦係数よりも小さい、
ゴルフクラブヘッド。
（条項３９）
前記複数のエリアは、それぞれ、異なる表面粗さを有する、条項３８に記載のゴルフクラブヘッド。
（条項４０）
前記第１のエリアは、０マイクロインチから１００マイクロインチの間の第１の表面粗さを有し、
前記第２のエリアは、５０マイクロインチから１２０マイクロインチの間の第２の表面粗さを有し、
前記第３のエリアは、１００マイクロインチから３００マイクロインチの間の第３の表面粗さを有する、条項３９に記載のゴルフクラブヘッド。
（条項４１）
前記第１の表面粗さは、０マイクロインチから５０マイクロインチの間である、条項４０に記載のゴルフクラブヘッド。
（条項４２）
前記第１、第２、及び第３のエリアは、前記クラブフェースの外側周囲部から０．５０インチを超えて内向きに延在する、条項３８に記載のゴルフクラブヘッド。
（条項４３）
前記ロフト閾値は、１５度から２５度の間にある、条項３８に記載のゴルフクラブヘッド。
（条項４４）
前記ロフト閾値は、２５度未満である、条項３８に記載のゴルフクラブヘッド。
（条項４５）
条項２７に記載のゴルフクラブヘッドを有するゴルフクラブ。
（条項４６）
条項２７に記載のゴルフクラブヘッドを製造する方法であって、
前記クラウン、前記ソール、前記ヒール、前記トウ、前記バックエンド、及び、前記ホーゼルを有する前記本体部を提供するステップと、
前記クラブフェースを提供するステップと、
前記クラブフェース上に前記表面特徴部を形成するステップと、
前記クラブフェースを前記クラブ本体部に形成又は連結するステップと、
を備える、方法。
【図１】
2020192370.tif 000003
【図２】
2020192370.tif 000004
【図３】
2020192370.tif 000005
【図４】
2020192370.tif 000006
【図５】
2020192370.tif 000007
【図６】
2020192370.tif 000008
【図７】
2020192370.tif 000009
【図８】
2020192370.tif 000010
【図９】
2020192370.tif 000011
【図１０Ａ】
2020192370.tif 000012
【図１０Ｂ】
2020192370.tif 000013
【図１１】
2020192370.tif 000014
【図１２】
2020192370.tif 000015
【図１３】
2020192370.tif 000016
【図１４】
2020192370.tif 000017
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ソールの反対側のクラウン、ヒールの反対側のトウ、バックエンド、及び、ホーゼルを有する本体部と、
２５度を下回るロフトを有するクラブフェースであって、ゴルフボールと前記クラブフェースとの間の摩擦係数が増加すると、前記ゴルフボールとの衝突後に前記ゴルフボールに付与されるスピンが減少し、前記クラブフェースは、さらに、第１のエリア、第２のエリア、及び、第３のエリアを有する複数のエリアを備え、
前記第１のエリアは、前記クラブフェースのセンターのクラウン側に位置し、前記トウ及び前記クラウンに向けて延在しており、
前記第３のエリアは、前記クラブフェースの前記センターのソール側に位置し、前記ヒール及び前記ソールに向けて延在しており、
前記第２のエリアは、前記第１のエリアと前記第３のエリアとの間に位置し、
前記第１のエリア、前記第２のエリア、及び、前記第３のエリアのそれぞれは、各エリア内に複数の粗さレベルを有している、
前記クラブフェースと、
前記クラブフェースの一部分に位置し、前記ゴルフボールと前記クラブフェースとの間の前記摩擦係数を増加させるように構成されている表面特徴部であって、クラブフェースに垂直なベクトルの方向に偏差を有する表面テクスチャ―を備える前記表面特徴部と、
を備え、
前記表面テクスチャ―は、前記トウから前記ヒールに向かう方向、及び、前記クラウンから前記ソールに向かう方向において、前記クラブフェースと前記ゴルフボールとの間の摩擦係数が増加するように、前記クラブフェースに亘って変化しており、
第１の表面粗さ、第２の表面粗さ、及び、第３の表面粗さのそれぞれは、前記トウから前記ヒールに向かう方向、及び、前記クラウンから前記ソールに向かう方向において、増加している、ゴルフクラブヘッド。
【請求項２】
前記第１のエリアは、０マイクロインチ（０マイクロメートル）から１００マイクロインチ（２．５４マイクロメートル）の間の第１の表面粗さを有する、請求項１に記載のゴルフクラブヘッド。
【請求項３】
前記第２のエリアは、５０マイクロインチ（１．２７マイクロメートル）から１２０マイクロインチ（３．０４８マイクロメートル）の間の第２の表面粗さを有する、請求項１に記載のゴルフクラブヘッド。
【請求項４】
前記第３のエリアは、１００マイクロインチ（２．５４マイクロメートル）から３００マイクロインチ（７．６２マイクロメートル）の間の第３の表面粗さを有する請求項１から３のいずれか一項に記載のゴルフクラブヘッド。
【請求項５】
前記第１のエリア、前記第２のエリア、及び、前記第３のエリアは、重なっていない、請求項１から４のいずれか一項に記載のゴルフクラブヘッド。
【請求項６】
１つのエリアから出ていき、当該１つのエリアに隣接する次のエリアに進入するときに、前記表面粗さは即座に変化する、請求項１から５のいずれか一項に記載のゴルフクラブヘッド。
【請求項７】
前記クラブフェースの前記第１のエリアと前記ゴルフボールとの間の前記複数の粗さレベルは、前記クラブフェースの前記第２のエリアと前記ゴルフボールとの間の前記複数の粗さレベルよりも小さく、
前記クラブフェースの前記第２のエリアと前記ゴルフボールとの間の前記複数の粗さレベルは、前記クラブフェースの前記第３のエリアと前記ゴルフボールとの間の前記複数の粗さレベルよりも小さい、請求項１から６のいずれか一項に記載のゴルフクラブヘッド。
【請求項８】
前記表面特徴部を有する前記クラブフェースの前記一部分と前記ゴルフボールとの間の前記摩擦係数は、０．２５よりも大きい、請求項１から７のいずれか一項に記載のゴルフクラブヘッド。
【請求項９】
ゴルフクラブヘッドであって、
ソールの反対側のクラウン、ヒールの反対側のトウ、バックエンド、及び、ホーゼルを有する本体部と、
２５度を下回るロフトを有するクラブフェースであって、ゴルフボールと前記クラブフェースとの間の摩擦係数が増加すると、前記ゴルフボールとの衝突後に前記ゴルフボールに付与されるスピンが減少し、前記クラブフェースは、さらに、第１のエリア、第２のエリア、及び、第３のエリアを有する複数のエリアを備え、
前記第１のエリアは、前記クラブフェースのセンターのクラウン側に位置し、前記トウ及び前記クラウンに向けて延在しており、複数の粗さレベルを有しており、
前記第３のエリアは、前記クラブフェースの前記センターのソール側に位置し、前記ヒール及び前記ソールに向けて延在しており、複数の粗さレベルを有しており、
前記第２のエリアは、前記第１のエリアと前記第３のエリアとの間に位置し、複数の粗さレベルを有している、
前記クラブフェースと、を備え、
前記第１のエリアにおける前記粗さレベルは、前記第２のエリアにおける前記表面粗さレベルよりも大きく、
前記第２のエリアにおける前記表面粗さレベルは、前記第３のエリアにおける前記表面粗さレベルよりも大きく、
第１の表面粗さ、第２の表面粗さ、及び、第３の表面粗さのそれぞれは、前記トウから前記ヒールに向かう方向、及び、前記クラウンから前記ソールに向かう方向において、増加している、ゴルフクラブヘッド。
【請求項１０】
前記第１のエリアは、０マイクロインチ（０マイクロメートル）から１００マイクロインチ（２．５４マイクロメートル）の間の第１の表面粗さを有する、請求項９に記載のゴルフクラブヘッド。
【請求項１１】
前記第２のエリアは、５０マイクロインチ（１．２７マイクロメートル）から１２０マイクロインチ（３．０４８マイクロメートル）の間の第２の表面粗さを有する、請求項９又は１０に記載のゴルフクラブヘッド。
【請求項１２】
前記第３のエリアは、１００マイクロインチ（２．５４マイクロメートル）から３００マイクロインチ（７．６２マイクロメートル）の間の第３の表面粗さを有する、請求項９から１１のいずれか一項に記載のゴルフクラブヘッド。
【請求項１３】
前記第１のエリア、前記第２のエリア、及び、前記第３のエリアは、重なっていない、請求項９から１２のいずれか一項に記載のゴルフクラブヘッド。
【請求項１４】
１つのエリアから出ていき、当該１つのエリアに隣接する次のエリアに進入するときに、前記表面粗さは即座に変化する、請求項９から１３のいずれか一項に記載のゴルフクラブヘッド。
【請求項１５】
前記クラブフェースの前記第１のエリアと前記ゴルフボールとの間の前記複数の粗さレベルは、前記クラブフェースの前記第２のエリアと前記ゴルフボールとの間の前記複数の粗さレベルよりも小さく、
前記クラブフェースの前記第２のエリアと前記ゴルフボールとの間の前記複数の粗さレベルは、前記クラブフェースの前記第３のエリアと前記ゴルフボールとの間の前記複数の粗さレベルよりも小さい、請求項９から１４のいずれか一項に記載のゴルフクラブヘッド。
【請求項１６】
表面特徴部を有する前記クラブフェースの一部分と前記ゴルフボールとの間の前記摩擦係数は、０．２５よりも大きい、請求項９から１５のいずれか一項に記載のゴルフクラブヘッド。
【外国語明細書】
2020192370000001.pdf
2020192370000002.pdf
2020192370000003.pdf
2020192370000004.pdf